(57)【特許請求の範囲】
【請求項１】
移動通信用グローバルシステム（ＧＳＭ）ＧＳＭ進化型拡張データレート（ＥＤＧＥ）無線アクセスネットワーク（ＧＥＲＡＮ）規格に適合するエアインターフェース上で、送信側によって受信側へ送られた無線リンク制御／媒体アクセス制御（ＲＬＣ／ＭＡＣ）ブロックに対する応答を提供する方法であって、
前記送信側によって送られた第１のＲＬＣ／ＭＡＣブロックを、前記エアインターフェースを通じて前記受信側によって受信することと；
前記受信側による前記第１のＲＬＣ／ＭＡＣブロックの受信に応じて、前記第１のＲＬＣ／ＭＡＣブロックの第１の応答を、前記エアインターフェースを通じて前記受信側から前記送信側へ自動的に送信することと、なお、前記第１の応答は、前記第１のＲＬＣ／ＭＡＣブロックが前記受信側によってうまく復号化された場合は肯定応答（ＡＣＫ）を備え、前記第１のＲＬＣ／ＭＡＣブロックが前記受信側によってうまく復号化されなかった場合は否定応答を備える；
前記送信側によって送られた第２のＲＬＣ／ＭＡＣブロックを、前記エアインターフェースを通じて前記受信側によって受信することと；
前記受信側による前記第２のＲＬＣ／ＭＡＣブロックの受信に応じて、前記第２のＲＬＣ／ＭＡＣブロックの第２の応答を、前記エアインターフェースを通じて前記受信側から前記送信側へ自動的に送信することと、なお、前記第２の応答は前記第２のＲＬＣ／ＭＡＣブロックが前記受信側によってうまく復号化された場合は肯定応答（ＡＣＫ）を備え、前記第２のＲＬＣ／ＭＡＣブロックが前記受信側によってうまく復号化されなかった場合は否定応答を備え、前記第１の応答及び前記第２の応答を自動的に送信することは、前記第１の応答及び前記第２の応答を第３のＲＬＣ／ＭＡＣブロックのヘッダに含めることと、前記エアインターフェースを通じて前記第３のＲＬＣ／ＭＡＣブロックを前記受信側から前記送信側へ送信することとを備える；
を備えた方法。
【請求項２】
前記自動的に送信するステップは、前記受信側による前記第１及び第２のＲＬＣ／ＭＡＣブロックの受信の所定時間内に実行される、請求項１に記載の方法。
【請求項３】
前記自動的に送信するステップは、前記受信側による前記第１及び第２のＲＬＣ／ＭＡＣブロックの受信に続く所定の時間間隔後に実行される、請求項１に記載の方法。
【請求項４】
前記自動的に送信するステップは、前記受信側による前記第１及び第２のＲＬＣ／ＭＡＣブロックの受信の１送信時間間隔（ＴＴＩ）内に行われる、請求項１に記載の方法。
【請求項５】
前記自動的に送信するステップは、前記受信側による前記第１及び第２のＲＬＣ／ＭＡＣブロックの受信の２送信時間間隔（ＴＴＩ）内に行われる、請求項１に記載の方法。
【請求項６】
前記自動的に送信するステップは、前記受信側による前記第１及び第２のＲＬＣ／ＭＡＣブロックの受信の３送信時間間隔（ＴＴＩ）内に行われる、請求項１に記載の方法。
【請求項７】
前記自動的に送信するステップは、前記受信側による前記第１及び第２のＲＬＣ／ＭＡＣブロックの受信の４送信時間間隔（ＴＴＩ）内に行われる、請求項１に記載の方法。
【請求項８】
前記エアインターフェースを通じて、前記送信側によって送られた１つ以上のさらなるＲＬＣ／ＭＡＣブロックを前記受信側が受信することと；
前記１つ以上のさらなるＲＬＣ／ＭＡＣブロックの受信に応じて、前記１つ以上のさらなるＲＬＣ／ＭＡＣブロック毎の応答を前記第３のＲＬＣ／ＭＡＣブロックの前記ヘッダ内に含めることと；
をさらに備える、請求項１に記載の方法。
【請求項９】
前記受信側は移動局を備え、前記送信側はＢＴＳ基地局を備える、請求項１に記載の方法。
【請求項１０】
前記送信側は移動局を備え、前記受信側はＢＴＳ基地局を備える、請求項１に記載の方法。
【請求項１１】
前記第１及び第２のＲＬＣ／ＭＡＣブロックのうちの少なくとも１つは、第１のボイスオーバーインターネットプロトコル（ＶｏＩＰ）フレームを備える、請求項１に記載の方法。
【請求項１２】
前記第３のＲＬＣ／ＭＡＣブロックは、第２のボイスオーバーインターネットプロトコル（ＶｏＩＰ）フレームを備える、請求項１１に記載の方法。
【請求項１３】
前記エアインターフェースは、非連続送信（ＤＴＸ）をインプリメントし、前記第３のＲＬＣ／ＭＡＣブロックは、ボイスオーバーインターネットプロトコル（ＶｏＩＰ）フレームのない、ダミーのフィードバック専用パケットを備える、請求項１１に記載の方法。
【請求項１４】
前記第３のＲＬＣ／ＭＡＣブロックの前記ヘッダに、前記送信側から前記受信側への前記リンクの品質のインジケータを含めること、
をさらに備える、請求項１に記載の方法。
【請求項１５】
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムの移動局であって、
受信器と；
送信器と；
プログラムコードを記憶するメモリと；
前記受信器、前記送信器、および前記メモリに結合されたプロセッサと；
を備え、前記プログラムコードの制御下の前記プロセッサは、
前記セルラー式通信システムのエアインターフェースを通じて、前記セルラー式通信システムのＢＴＳ基地局によって送られた第１のＲＬＣ／ＭＡＣブロックを受信することと；
前記移動局による前記第１のＲＬＣ／ＭＡＣブロックの受信に応じて、前記第１のＲＬＣ／ＭＡＣブロックの第１の応答を、前記エアインターフェースを通じて前記移動局から前記ＢＴＳ基地局へ自動的に送信することと、なお、前記第１の応答は、前記第１のブロックが前記移動局によってうまく復号化された場合は肯定応答（ＡＣＫ）を備え、前記第１のブロックが前記移動局によってうまく復号化されなかった場合は否定応答を備える；
前記セルラー式通信システムの前記エアインターフェースを通じて、前記セルラー式通信システムの前記ＢＴＳ基地局によって送られた第２のＲＬＣ／ＭＡＣブロックを受信することと；
前記移動局による前記第２のＲＬＣ／ＭＡＣブロックの受信に応じて、前記第２のＲＬＣ／ＭＡＣブロックの第２の応答を、前記エアインターフェースを通じて前記移動局から前記ＢＴＳ基地局へ自動的に送信することと、なお、前記第２の応答は前記第２のＲＬＣ／ＭＡＣブロックが前記移動局によってうまく復号化された場合は肯定応答（ＡＣＫ）を備え、前記第２のＲＬＣ／ＭＡＣブロックが前記移動局によってうまく復号化されなかった場合は否定応答を備え、前記第１の応答及び前記第２の応答を自動的に送信することは、前記第１の応答及び前記第２の応答を第３のＲＬＣ／ＭＡＣブロックのヘッダに含めることと、前記エアインターフェースを通じて前記第３のＲＬＣ／ＭＡＣブロックを前記移動局から前記ＢＴＳ基地局へ送信することとを備える；
を備えるステップを前記移動局に実行させるように構成された、
移動局。
【請求項１６】
前記第１のＲＬＣ／ＭＡＣブロックは、ボイスオーバーインターネットプロトコル（ＶｏＩＰ）フレームを備える、請求項１５に記載の移動局。
【請求項１７】
命令を備える機械読み取り可能記憶媒体であって、前記命令は、
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムの移動局の少なくとも１つのプロセッサによって実行されるとき、
前記セルラー式通信システムのエアインターフェースを通じて、前記セルラー式通信システムのＢＴＳ基地局によって送られた第１のＲＬＣ／ＭＡＣブロックを受信することと；
前記移動局による前記第１のＲＬＣ／ＭＡＣブロックの受信に応じて、前記第１のＲＬＣ／ＭＡＣブロックの第１の応答を、前記エアインターフェースを通じて前記移動局から前記ＢＴＳ基地局へ自動的に送信することと、なお、前記第１の応答は、前記第１のブロックが前記移動局によってうまく復号化された場合は肯定応答（ＡＣＫ）を備え、前記第１のブロックが前記移動局によってうまく復号化されなかった場合は否定応答を備える；
前記セルラー式通信システムの前記エアインターフェースを通じて、前記セルラー式通信システムの前記ＢＴＳ基地局によって送られた第２のＲＬＣ／ＭＡＣブロックを受信することと；
前記移動局による前記第２のＲＬＣ／ＭＡＣブロックの受信に応じて、前記第２のＲＬＣ／ＭＡＣブロックの第２の応答を、前記エアインターフェースを通じて前記移動局から前記ＢＴＳ基地局へ自動的に送信することと、なお、前記第２の応答は前記第２のＲＬＣ／ＭＡＣブロックが前記移動局によってうまく復号化された場合は肯定応答（ＡＣＫ）を備え、前記第２のＲＬＣ／ＭＡＣブロックが前記移動局によってうまく復号化されなかった場合は否定応答を備え、前記第１の応答及び前記第２の応答を自動的に送信することは、前記第１の応答及び前記第２の応答を第３のＲＬＣ／ＭＡＣブロックのヘッダに含めることと、前記エアインターフェースを通じて前記第３のＲＬＣ／ＭＡＣブロックを前記移動局から前記ＢＴＳ基地局へ送信することとを備える、
を備える動作を行うように、前記少なくとも１つのプロセッサに前記移動局を構成させる、
機械読み取り可能記憶媒体。
【請求項１８】
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムの移動局であって、
前記セルラー式通信システムのＧＥＲＡＮエアインターフェースを介して、前記セルラー式通信システムのＢＴＳ基地局によって送られた第１のＲＬＣ／ＭＡＣブロックを受信するための手段と；
前記移動局による前記第１のＲＬＣ／ＭＡＣブロックの受信に応じて、前記移動局から前記ＢＴＳ基地局へ、前記ＧＥＲＡＮエアインターフェースを介して、前記第１のＲＬＣ／ＭＡＣブロックの応答を自動的に送信するための手段と、なお前記応答は前記第１のＲＬＣ／ＭＡＣブロックが前記移動局によってうまく復号化された場合は肯定応答（ＡＣＫ）を備え、前記第１のＲＬＣ／ＭＡＣブロックが前記移動局によってうまく復号化されなかった場合は否定応答を備える；
前記セルラー式通信システムの前記エアインターフェースを介して、前記セルラー式通信システムの前記ＢＴＳ基地局によって送られた第２のＲＬＣ／ＭＡＣブロックを受信するための手段と；
前記移動局による前記第２のＲＬＣ／ＭＡＣブロックの受信に応じて、前記第２のＲＬＣ／ＭＡＣブロックの第２の応答を、前記エアインターフェースを介して前記移動局から前記ＢＴＳ基地局へ自動的に送信するための手段と、なお、前記第２の応答は前記第２のＲＬＣ／ＭＡＣブロックが前記移動局によってうまく復号化された場合は肯定応答（ＡＣＫ）を備え、前記第２のＲＬＣ／ＭＡＣブロックが前記移動局によってうまく復号化されなかった場合は否定応答を備え、前記第１の応答及び前記第２の応答を自動的に送信することは、前記第１の応答及び前記第２の応答を第３のＲＬＣ／ＭＡＣブロックのヘッダに含めることと、前記エアインターフェースを通じて前記第３のＲＬＣ／ＭＡＣブロックを前記移動局から前記ＢＴＳ基地局へ送信することとを備える、
を備える移動局。
【請求項１９】
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムのＢＴＳ基地局であって、
受信器と；
送信器と；
プログラムコードを記憶するメモリと；
前記受信器、前記送信器、および前記メモリに結合されたプロセッサと；
を備え、前記プログラムコードの制御下の前記プロセッサは、
前記セルラー式通信システムのエアインターフェースを通じて、前記セルラー式通信システムの移動局によって送られた第１のＲＬＣ／ＭＡＣブロックを受信することと；
前記ＢＴＳ基地局による前記第１のＲＬＣ／ＭＡＣブロックの受信に応じて、前記ＢＴＳ基地局から前記移動局へ、前記エアインターフェースを通じて、前記第１のＲＬＣ／ＭＡＣブロックの第１の応答を自動的に送信することと、なお、前記第１の応答は、前記第１のＲＬＣ／ＭＡＣブロックが前記ＢＴＳ基地局によってうまく復号化された場合は肯定応答（ＡＣＫ）を備え、前記第１のブロックが前記ＢＴＳ基地局によってうまく復号化されなかった場合は否定応答を備える；
前記セルラー式通信システムの前記エアインターフェースを通じて、前記セルラー式通信システムの移動局によって送られた第２のＲＬＣ／ＭＡＣブロックを受信することと；
前記ＢＴＳ基地局による前記第２のＲＬＣ／ＭＡＣブロックの受信に応じて、前記ＢＴＳ基地局から前記移動局へ、前記エアインターフェースを通じて、前記第２のＲＬＣ／ＭＡＣブロックの第２の応答を自動的に送信することと、なお、前記第２の応答は、前記第２のＲＬＣ／ＭＡＣブロックが前記ＢＴＳ基地局によってうまく復号化された場合は肯定応答（ＡＣＫ）を備え、前記第２のブロックが前記ＢＴＳ基地局によってうまく復号化されなかった場合は否定応答を備え、前記第１の応答及び前記第２の応答を自動的に送信することは、前記第１の応答及び前記第２の応答を第３のＲＬＣ／ＭＡＣブロックのヘッダに含めることと、前記エアインターフェースを通じて前記第３のＲＬＣ／ＭＡＣブロックを前記ＢＴＳ基地局から前記移動局へ送信することとを備える；
を備えるステップを前記ＢＴＳ基地局に実行させるように構成されている、
ＢＴＳ基地局。
【請求項２０】
命令を備える機械読み取り可能記憶媒体であって、前記命令は、移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムのＢＴＳ基地局の少なくとも１つのプロセッサによって実行されるとき、
前記セルラー式通信システムのエアインターフェースを通じて、前記セルラー式通信システムの移動局によって送られた第１のＲＬＣ／ＭＡＣブロックを受信することと；
前記ＢＴＳ基地局による前記第１のＲＬＣ／ＭＡＣブロックの受信に応じて、前記ＢＴＳ基地局から前記移動局へ、前記エアインターフェースを通じて、前記第１のＲＬＣ／ＭＡＣブロックの第１の応答を自動的に送信することと、なお、前記第１の応答は、前記第１のＲＬＣ／ＭＡＣブロックが前記ＢＴＳ基地局によってうまく復号化された場合は肯定応答（ＡＣＫ）を備え、前記第１のＲＬＣ／ＭＡＣブロックが前記ＢＴＳ基地局によってうまく復号化されなかった場合は否定応答を備える；
前記セルラー式通信システムの前記エアインターフェースを通じて、前記セルラー式通信システムの移動局によって送られた第２のＲＬＣ／ＭＡＣブロックを受信することと；
前記ＢＴＳ基地局による前記第２のＲＬＣ／ＭＡＣブロックの受信に応じて、前記ＢＴＳ基地局から前記移動局へ、前記エアインターフェースを通じて、前記第２のＲＬＣ／ＭＡＣブロックの第２の応答を自動的に送信することと、なお、前記第２の応答は前記第２のＲＬＣ／ＭＡＣブロックが前記ＢＴＳ基地局によってうまく復号化された場合は肯定応答（ＡＣＫ）を備え、前記第２のブロックが前記ＢＴＳ基地局によってうまく復号化されなかった場合は否定応答を備え、前記第１の応答及び前記第２の応答を自動的に送信することは、前記第１の応答及び前記第２の応答を第３のＲＬＣ／ＭＡＣブロックのヘッダに含めることと、前記エアインターフェースを通じて前記第３のＲＬＣ／ＭＡＣブロックを前記ＢＴＳ基地局から前記移動局へ送信することとを備える；
を備える動作を行うように前記少なくとも１つのプロセッサに前記ＢＴＳ基地局を構成させる、
機械読み取り可能記憶媒体。
【発明の詳細な説明】
【米国特許法１１９条のもとでの優先権の主張】
【０００１】
本特許出願は、（１）２００５年７月２１日に出願され、「無線通信における多重化のための方法および装置（Method and Apparatus for Multiplexing in Wireless Communications）」と題された、米国特許仮出願第６０／７０１,９６７号、および（２）２００６年１月１０日に出願され、「ＧＥＲＡＮにおけるＶｏＩＰのサポートのためのいくつかの要素（Some Elements for the Support of VoIP in GERAN）」と題された、米国特許仮出願第６０／７５８,０７５号、の優先権を主張する。これらの仮出願は、本願の譲受人に譲渡され、また、参照することにより、すべての図面および表を含んで、あたかもここに完全に記載されているかのごとく、明示的に組み込まれる。
【技術分野】
【０００２】
本発明は、一般的には、電話通信に関し、より具体的には、セルラー式無線ネットワーク(cellular radio networks)において、複数のユーザを多重化し、かつフィードバックをサポートするための方法、装置、および製品に関する。
【背景技術】
【０００３】
現代の通信システムは、音声およびデータアプリケーションを含む、様々なアプリケーションに対して信頼性の高いデータ送信を提供することが期待されている。マルチユーザ通信は、複数の受信器へデータを送る１つの送信器を含むこともあり、また、１つの受信器へデータを送る数個の送信器を含むことがある。セルラー式通信システム(cellular communication systems)は、例えば、ＢＴＳ基地局(base transceiver station)（ＢＴＳ）と複数の移動局(multiple mobile stations)（ＭＳｓ）との間の、ＢＴＳによってサービスを提供される(served)セクタ内のマルチユーザ通信を使用する。知られているマルチユーザ通信システムは、周波数分割多元接続（frequency division multiple access）（ＦＤＭＡ）、時分割多元接続（time division multiple access）（ＴＤＭＡ）、符号分割多元接続（code division multiple access）（ＣＤＭＡ）、あるいはたぶん他の多元接続通信方式に基づく。
【０００４】
ＣＤＭＡシステムは、１つ以上のＣＤＭＡ規格、例えば、（１）「デュアルモード広帯域拡散スペクトルセルラー式システム用のＴＩＡ／ＥＩＡ−９５移動局-基地局互換性規格（TIA/EIA-95 Mobile Station-Base Station Compatibility Standard for Dual-Mode Wideband Spread Spectrum Cellular System）」、（２）デュアルモード広帯域拡散スペクトルセルラー式移動局用のＴＩＡ／ＥＩＡ−９８−Ｃ推奨最小規格（TIA/EIA-98-C Recommended Minimum Standard for Dual-Mode Wideband Spread Spectrum Cellular Mobile Station）」、（３）「第３世代パートナーシッププロジェクト（3rd Generation Partnership Project）」（３ＧＰＰ）と称する企業体によって支援されている規格であって、３Ｇ  ＴＳ２５．２１１，３Ｇ  ＴＳ  ２５．２１２，３Ｇ  ＴＳ２５．２１３，および３Ｇ  ＴＳ２５．２１４（Ｗ−ＣＤＭＡ規格）として知られる文書を含む文書セットにおいて具体化されている規格、（４）「第３世代パートナーシッププロジェクト２（3rd Generation Partnership Project 2）」（３ＧＰＰ２）と称する企業体によって支援されている規格であって、「Ｃ．Ｓ０００２−Ａ  ｃｄｍａ２０００拡散スペクトルシステム用の物理層規格（C.S0002-A Physical Layer Standard for cdma2000 Spread Spectrum Systems）」、「Ｃ．Ｓ０００５−Ａ  ｃｄｍａ２０００拡散スペクトルシステム用の上部層（レイヤ３）シグナリング規格（C.S0005-A Upper Layer (Layer 3) Signaling Standard for cdma2000 Spread Spectrum Systems）」を含む文書セットにおいて具体化されている規格、（５）１×ＥＶ-ＤＯ規格「ＴＩＡ／ＥＩＡ／ＩＳ−８５６  ｃｄｍａ２０００高レートパケットデータエアインターフェース仕様」（1xEV-DO standard "TIA/EIA/IS-856 cdma2000 High Rate Packet Data Air Interface Specification）、およびその他の規格、などをサポートするように設計されることができる。
【０００５】
ＴＤＭＡシステムは、移動通信用グローバルシステム（Global System for Mobile Communications）（ＧＳＭ（登録商標））として知られる規格をインプリメント(implement)してもよい。ＧＳＭベースのネットワークは、世界中で広く展開され(deployed)ている。汎用パケット無線サービス（General Packet Radio Service）（ＧＰＲＳ）、およびその拡張版であるＧＳＭ進化型拡張データレート（Enhanced Data rates for GSM Evolution）（ＥＤＧＥ）として知られるものは、ＧＳＭ互換の移動局によっては(例えば、セルラー式電話)利用可能なデータサービスである。ＧＳＭ，ＧＰＲＳ，およびＥＤＧＥは、ＧＳＭ  ＥＤＧＥ無線アクセスネットワークまたはＧＥＲＡＮと総称される場合もある。
【０００６】
ＧＥＲＡＮエアインターフェース(air interfaces)は、周波数ホッピング(frequency hopping)を使用する場合もある。周波数ホッピングは、ある期間に渡る周波数ダイバーシティ（frequency diversity）を提供する方式である。周波数ホッピングシステムは、異なる搬送周波数上で、典型的には２０ミリ秒の期間を有する各送信時間単位またはスロット中に送信する。ある搬送周波数から他への連続したホップは、一般的には、非連続搬送周波数間で行われて、連続したフレームの周波数選択的なフェージングを減少させる。すなわち、連続したフレーム内のブロックが受信器で正確に復号化されることのない可能性が低くなる。
【０００７】
無線サービスに対する需要は高まり続ける一方で、無線スペクトルは、所定の無線アプリケーションに固定化されているか、または高いコストで利用可能である。従って、固定的なスペクトル割り当て内でサービスを提供する機能が高いことが、ＧＳＭベースのセルラー式システムを含む無線システムの好ましい特質である。
【０００８】
インターネットプロトコル(Internet protocol)（ＩＰ）は、数多くのネットワーク、とりわけインターネットに渡ってデータパケット（データグラム）を搬送するために使用されている。音声は、ＩＰパケットにカプセル化されて、そのようなネットワーク上でデータとして搬送されてもよい。実際、ボイスオーバーＩＰ(voice over IP)（ＶｏＩＰ）は、インターネット電話通信（Internet telephony）またはＩＰ電話通信（IP telephony）としても知られており、ＩＰベースのネットワークの急速に発展しているアプリケーションである。移動局を他の電話局に接続する呼(call)は、ＶｏＩＰを使用して、移動局と他の端末との間の経路の少なくとも一部分に沿って経路設定され(routed)てもよい。そのような呼は、ＶｏＩＰと他のプロトコルとの間で、移動局にサービスを提供するセルラー式ネットワークのエアインターフェースにおいて変換されてもよい。しかしながら、既存のシステム上の制約下で実現可能であると想定して、端末間ＩＰベースの接続性を有するのが好ましい場合がある。
【０００９】
ＩＰデータグラムをＧＥＲＡＮエアインターフェース上で送信する際の問題の１つに、ＧＳＭ規格に固有のフィードバック情報の待ち時間というのがある。典型的には、ＧＥＲＡＮシステムは、各２０ミリ秒の期間の１２個のブロックを送信して、その後、ポーリング要求を受信器へ(例えば、移動局またはＢＴＳへ)送ることになり、受信器に対して（例えば、移動局またはＢＴＳに対して）、送ったブロックのステータスについて送信器に知らせるように要求する。よって、１２ブロックの連続のうちの最初のブロックの応答(acknowledgement)は、約２４０ミリ秒後、またはさらにより大きな遅延を伴って受信されることになる。ＶｏＩＰ呼の端末間応答(end-to-end acknowledgements)は、途中の遅延が加わるために、さらに長い時間がかかる場合がある。これでは、典型的には、実際の電話での会話では待ち時間が長すぎる。さらに、移動環境におけるリンク品質は、急速に悪化する場合があり、２４０ミリ秒という遅延は、適時にリンク品質を示すには長すぎる場合がある。さらに、セルラー式システム動作(cellular system operation)の別の態様は、フィードバック機構の待ち時間(latency)が減少することで有利となる場合がある。
【００１０】
したがって、無線システムのスペクトル効率を高める方法および装置に対する技術的な必要性がある。また、ＧＥＲＡＮベースおよび類似の無線システムにおけるフィードバック待ち時間の短縮に対する必要性がある。さらに、実施された設備の広範な修正は高くつくことがあり、既存の顧客の設備と互換性があることが、マーケティングの観点から好ましい場合がある。したがって、既存のＧＥＲＡＮ移動局との互換性を保って、そのような局にサービスを提供する(serving)セルラー式ネットワークハードウェアに対する広範な変更を回避しつつ、上述の不備に対処する技術上の必要性がある。
【発明の概要】
【００１１】
ここに開示された実施形態は、複数の移動局用の複数のダウンリンクパケット／ブロックを同一のタイムスロット(time slot)および同一の搬送周波数に多重化することによって、また、ＧＥＲＡＮエアインターフェース用の高速フィードバック機構を提供することによって、上述の必要性に対処する。
【００１２】
一実施形態において、セルラー式通信システムの時分割多元接続エアインターフェース上で情報を送信するための方法が提供される。本方法は、セルラー式通信システムのＢＴＳ基地局によってサービスを提供されるセクタ内の複数の移動局をグループ化することを含む。複数の移動局は、第１の移動局および第２の移動局を含む。本方法は、ＢＴＳ基地局から、第１の搬送周波数上で、第１のタイムスロットの間に、第１のダウンリンクデータブロックを第１の送信電力を使用して第１の移動局へ送信することをさらに含む。本方法は、ＢＴＳ基地局から、第１の搬送周波数上で、第１のタイムスロットの間に、第２のダウンリンクデータブロックを第２の送信電力を使用して第２の移動局へ送信することをさらに含む。第１の送信電力および第２の送信電力は、第１の移動局が第１のデータブロックを受信し復号化でき、第２の移動局が第２のデータブロックを受信し復号化できるようなものである。
【００１３】
一実施形態において、時分割多元接続セルラー式通信システムのＢＴＳ基地局は、受信器と、送信器と、プログラムコードを記憶するメモリと、受信器、送信器、およびメモリに結合されたプロセッサとを含む。プログラムコードの制御下のプロセッサは、ＢＴＳ基地局に、次のステップ(steps)を実行させるように構成される。
【００１４】
（１）ＢＴＳ基地局によってサービスを提供されるセクタ内の、第１の移動局および第２の移動局を含む、複数の移動局をグループ化すること。
【００１５】
（２）ＢＴＳ基地局から、第１の搬送周波数上で、第１のタイムスロットの間に、第１のダウンリンクデータブロックを第１の送信電力を使用して第１の移動局へ送信すること。
【００１６】
（３）ＢＴＳ基地局から、第１の搬送周波数上で、第１のタイムスロットの間に、第２のダウンリンクデータブロックを第２の送信電力を使用して第２の移動局へ送信すること。
【００１７】
第１の送信電力および第２の送信電力は、第１の移動局が第１のデータブロックを受信し復号化でき、第２の移動局が第２のデータブロックを受信し復号化できるようなものである。
【００１８】
一実施形態において、機械読み取り可能媒体は、命令を記憶する。命令が時分割多元接続セルラー式通信システムのＢＴＳ基地局の少なくとも１つのプロセッサによって実行されるとき、命令は、少なくとも１つのプロセッサに、次の動作(operation)を行うようにＢＴＳ基地局を構成させる。
【００１９】
（１）ＢＴＳ基地局によってサービスを提供されるセクタ内の、第１の移動局および第２の移動局を含む、複数の移動局をグループ化すること。
【００２０】
（２）ＢＴＳ基地局から、第１の搬送周波数上で、第１のタイムスロットの間に、第１のダウンリンクデータブロックを第１の送信電力を使用して第１の移動局へ送信すること。
【００２１】
（３）ＢＴＳ基地局から、第１の搬送周波数上で、第１のタイムスロットの間に、第２のダウンリンクデータブロックを第２の送信電力を使用して第２の移動局へ送信すること。
【００２２】
第１の送信電力および第２の送信電力は、第１の移動局が第１のデータブロックを受信し復号化でき、第２の移動局が第２のデータブロックを受信し復号化できるようなものである。
【００２３】
一実施形態において、セルラー式通信システムの時分割多元接続エアインターフェース上で情報を送信するための方法が提供される。本方法は、セルラー式通信システムのＢＴＳ基地局によってサービスを提供されるセクタ内の、第１の移動局および第２の移動局を含む、第１の複数の移動局をグループ化することを含む。本方法は、ＢＴＳ基地局から、第１の搬送周波数上で、第１のタイムスロットの間に、ダウンリンクマルチユーザデータパケットを第１および第２の移動局へ送信することをさらに含む。マルチユーザダウンリンクデータパケットは、第１の移動局用の第１のペイロードデータと、第２の移動局用の第２のペイロードデータと、ヘッダと、を備える。ヘッダは、第１および第２の移動局に対して、第１の移動局が第１のペイロードデータを識別および使用できかつ第２のペイロードデータを無視でき、ならびに第２の移動局が第２のペイロードデータを識別および使用できかつ第１のペイロードデータを無視できるように、第１のペイロードデータおよび第２のペイロードデータを示す。
【００２４】
一実施形態において、時分割多元接続セルラー式通信システムのＢＴＳ基地局が提供される、ＢＴＳ基地局は、受信器と、送信器と、プログラムコードを記憶するメモリと、受信器、送信器、およびメモリに結合されたプロセッサとを含む。プログラムコードの制御下のプロセッサは、ＢＴＳ基地局に、次のステップを実行させるように構成される。
【００２５】
（１）ＢＴＳ基地局によってサービスを提供されるセクタ内の、第１の移動局および第２の移動局を含む、複数の移動局をグループ化すること。
【００２６】
（２）ＢＴＳ基地局から、第１の搬送周波数上で、第１のタイムスロットの間に、マルチユーザデータパケットを第１および第２の移動局へ送信すること。
【００２７】
マルチユーザデータパケットは、第１の移動局用の第１のペイロードデータと、第２の移動局用の第２のペイロードデータと、ヘッダとを含む。ヘッダは、第１および第２の移動局に対して、第１の移動局が第１のペイロードデータを識別および使用できかつ第２のペイロードデータを無視でき、ならびに第２の移動局が第２のペイロードデータを識別および使用できかつ第１のペイロードデータを無視できるように、第１のペイロードデータおよび第２のペイロードデータを示す。
【００２８】
一実施形態において、機械読み取り可能媒体は、命令を記憶する。命令が時分割多元接続セルラー式通信システムのＢＴＳ基地局の少なくとも１つのプロセッサによって実行されるとき、命令は、少なくとも１つのプロセッサに、次の動作を行うためにＢＴＳ基地局を構成させる。
【００２９】
（１）ＢＴＳ基地局によってサービスを提供されるセクタ内の、第１の移動局および第２の移動局を含む、複数の移動局をグループ化すること。
【００３０】
（２）ＢＴＳ基地局から、第１の搬送周波数上で、第１のタイムスロットの間に、マルチユーザデータパケットを第１および第２の移動局へ送信すること。
【００３１】
マルチユーザデータパケットは、第１の移動局用の第１のペイロードデータと、第２の移動局用の第２のペイロードデータと、ヘッダとを含む。ヘッダは、第１および第２の移動局に対して、第１の移動局が第１のペイロードデータを識別および使用できかつ第２のペイロードデータを無視でき、ならびに第２の移動局が第２のペイロードデータを識別および使用できかつ第１のペイロードデータを無視できるように、第１のペイロードデータおよび第２のペイロードデータを示す。
【００３２】
一実施形態において、セルラー式通信システムの時分割多元接続エアインターフェース上で情報を受信するための方法が提供される。本方法は、これらのステップを含み、これらは、セルラー式通信システムの第１の移動局において実行されることができる：すなわち。
【００３３】
（１）セルラー式通信システムのＢＴＳ基地局から、第１の搬送周波数上で、第１のタイムスロットの間に、第１の移動局用の第１のデータブロックと、制御情報およびセルラー式通信システムの第２の移動局用のペイロードデータを備える第２のデータブロックとを備える送信を受信すること。第１のデータブロックは、ＢＴＳ基地局によって第１の送信電力で送信され、第２のデータブロックは、ＢＴＳ基地局によって第２の送信電力で送信されたものである。第２の送信電力は、第１の送信電力より大きい。第１および第２のデータブロックは互いに重畳(superposed)（重畳符号化(superposition coded)）されていることに注意されたい。
【００３４】
（２）受信された送信を処理して第２のデータブロックを復号化すること。
【００３５】
（３）受信された送信から第２のデータブロックをキャンセルして、逐次干渉キャンセル済みの（successive interference cancelled）（ＳＩＣ）受信された送信を得ること。
【００３６】
（４）ＳＩＣ受信された送信を処理して第１のデータブロックを復号化すること。
【００３７】
一実施形態において、時分割多元接続セルラー式通信システムの移動局が提供される。本移動局は、受信器と、送信器と、プログラムコードを記憶するメモリと、受信器、送信器、およびメモリに結合されたプロセッサとを含む。プログラムコードの制御下のプロセッサは、移動局に、次のステップを実行させるように構成される。
【００３８】
（１）セルラー式通信システムのＢＴＳ基地局から、第１の搬送周波数上で、第１のタイムスロットの間に、送信を受信すること。受信された送信は、移動局用の第１のデータブロックと、第２のデータブロックとを含む。第２のデータブロックは、制御情報と、セルラー式通信システムの他の移動局用のペイロードデータを含む。第１のデータブロックは第１の送信電力で送信され、第２のデータブロックは第１の送信電力より大きい第２の送信電力で送信されたものである。このようにして、第１および第２のデータブロックは互いに重畳している。
【００３９】
（２）受信された送信を処理して第２のデータブロックを復号化すること。
【００４０】
（３）受信された送信から第２のデータブロックをキャンセルして、逐次干渉キャンセル済みの（ＳＩＣ）受信された送信を得ること。
【００４１】
（４）ＳＩＣ受信された送信を処理して第１のデータブロックを復号化すること。
【００４２】
一実施形態において、機械読み取り可能媒体(machine-readable medium)は、命令(instructions)を記憶する。命令が時分割多元接続セルラー式通信システムの移動局の少なくとも１つのプロセッサによって実行されるとき、当該少なくとも１つのプロセッサは、次の動作を行うために移動局を構成する。
【００４３】
（１）セルラー式通信システムのＢＴＳ基地局から、第１の搬送周波数上で、第１のタイムスロットの間に、移動局用の第１のデータブロックと、第２のデータブロックとを含む送信を受信すること。第２のデータブロックは、制御情報と、セルラー式通信システムの他の移動局用のペイロードデータとを含む。第１のデータブロックは第１の送信電力で送信され、第２のデータブロックは第１の送信電力より大きい第２の送信電力で送信されたものである。このようにして、第１および第２のデータブロックは、互いに重畳している。
【００４４】
（２）受信された送信を処理して第２のデータブロックを復号化すること。
【００４５】
（３）受信された送信から第２のデータブロックをキャンセルして、逐次干渉キャンセル済みの（ＳＩＣ）受信された送信を得ること。
【００４６】
（４）ＳＩＣ受信された送信を処理して第１のデータブロックを復号化すること。
【００４７】
一実施形態において、時分割多元接続セルラー式通信システムの移動局は、セルラー式通信システムのＢＴＳ基地局から、第１の搬送周波数上で、第１のタイムスロットの間に、送信を受信するための手段を含む。本送信は、移動局用の第１のデータブロックと、第２のデータブロックとを含む。第２のデータブロックは、制御情報と、セルラー式通信システムの他の移動局用のペイロードデータを含む。第１のデータブロックは第１の送信電力で送信され、第２のデータブロックは第１の送信電力より大きい第２の送信電力で送信されたものである。このようにして、第１および第２のデータブロックは互いに重畳している。また、本移動局は、受信された送信を処理して第２のデータブロックを復号化するための手段を含む。さらに、本移動局は、受信された送信から第２のデータブロックをキャンセルして、逐次干渉キャンセル済みの(successive interference cancelled)(ＳＩＣ）受信された送信を得るための手段を含む。加えて、本移動局は、ＳＩＣ受信された送信を処理して第１のデータブロックを復号化するための手段を含む。
【００４８】
一実施形態において、セルラー式通信システムの時分割多元接続エアインターフェース上で情報を受信するための方法が提供される。本方法は、セルラー式通信システムの第１の移動局において、セルラー式通信システムのＢＴＳ基地局から、マルチユーザパケットを受信することを含む。マルチユーザパケットは、第１の移動局用の第１のペイロードデータと、セルラー式通信システムの第２の移動局用の第２のペイロードデータと、制御情報とを含む。制御情報は、マルチユーザパケット内の第１のペイロードデータおよび第２のペイロードデータを示す（それらの区切りを示す、またはそうでなければ境界を示す）。さらに、本方法は、マルチユーザパケットを第１の移動局において復号化して、復号化されたマルチユーザパケットを得ることを含む。さらに、本方法は、制御情報を使用して、復号化されたマルチユーザパケットから第１のペイロードデータを得ることを含む。
【００４９】
一実施形態において、時分割多元接続セルラー式通信システムの移動局が提供される。本移動局は、受信器と、送信器と、プログラムコードを記憶するメモリと、受信器、送信器、およびメモリに結合されたプロセッサとを含む。プログラムコードの制御下のプロセッサは、移動局に、次のステップを実行させるように構成される。
【００５０】
（１）セルラー式通信システムのＢＴＳ基地局から、移動局用の第１のペイロードデータと、セルラー式通信システムの他の移動局用の第２のペイロードデータと、制御情報とを含むマルチユーザパケットを受信すること。制御情報は、マルチユーザパケット内の第１のペイロードデータおよび第２のペイロードデータを示す。
【００５１】
（２）マルチユーザパケットを復号化して、復号化されたマルチユーザパケットを得ること。
【００５２】
（３）制御情報を使用して、復号化されたマルチユーザパケットから第１のペイロードデータを得ること。
【００５３】
一実施形態において、機械読み取り可能媒体は、命令を記憶する。命令が時分割多元接続セルラー式通信システムの移動局の少なくとも１つのプロセッサによって実行されるとき、少なくとも１つのプロセッサは、以下の動作を行うために移動局を構成する(configures)。
【００５４】
（１）セルラー式通信システムのＢＴＳ基地局から、移動局用の第１のペイロードデータと、セルラー式通信システムの他の移動局用の第２のペイロードデータと、制御情報とを含むマルチユーザパケットを受信すること。制御情報は、マルチユーザパケット内の第１のペイロードデータおよび第２のペイロードデータを示す。
【００５５】
（２）マルチユーザパケットを復号化して、復号化されたマルチユーザパケットを得ること。
【００５６】
（３）制御情報を使用して、復号化されたマルチユーザパケットから第１のペイロードデータを得ること。
【００５７】
一実施形態において、時分割多元接続セルラー式通信システムの移動局は、セルラー式通信システムのＢＴＳ基地局からマルチユーザパケットを受信するための手段を含む。マルチユーザパケットは、移動局用の第１のペイロードデータと、セルラー式通信システムの他の移動局用の第２のペイロードデータと、マルチユーザパケット内の第１のペイロードデータおよび第２のペイロードデータを示す（例えば、区切りを示す）制御情報とを含む。さらに、移動局は、マルチユーザパケットを復号化して、復号化されたマルチユーザパケットを得るための手段を含む。また、移動局は、制御情報を使用して、復号化されたマルチユーザパケットから第１のペイロードデータを得るための手段を含む。
【００５８】
一実施形態において、ＧＥＲＡＮエアインターフェース上で、送信側によって受信側へ送られた無線リンク制御／媒体アクセス制御（Radio Link Control/Medium Access Control）（ＲＬＣ／ＭＡＣ）ブロック用の応答（Acknowledgement）を提供する方法は、（１）送信側によって送られた第１のＲＬＣ／ＭＡＣブロックを、エアインターフェースを通じて受信側によって受信することと、（２）第１のＲＬＣ／ＭＡＣブロックの受信側による受信に応じて、第１のＲＬＣ／ＭＡＣブロックの第１の応答を、エアインターフェースを通じて受信側から送信側へ自動的に送信することと、を含む。第１の応答は、第１のブロックが受信側によってうまく復号化された場合には肯定応答(acknowledgement)（ＡＣＫ）であり、または、第１のブロックが受信側によってうまく復号化されなかった場合には否定応答(negative acknowledgement)である。受信側は移動局であってもよいし、送信側はＢＴＳ基地局であってもよい。代わりに、送信側が移動局であってもよいし、受信側がＢＴＳ基地局であってもよい。
【００５９】
一実施形態において、ＧＥＲＡＮセルラー式通信システムの移動局は、受信器と、送信器と、プログラムコードを記憶するメモリと、受信器、送信器、およびメモリに結合されたプロセッサとを含む。プログラムコードの制御下のプロセッサは、移動局に次のステップを実行させるように構成される。
【００６０】
（１）セルラー式通信システムのエアインターフェースを通じて、セルラー式通信システムのＢＴＳ基地局によって送られた第１のＲＬＣ／ＭＡＣブロックを受信すること。
【００６１】
（２）移動局による第１のＲＬＣ／ＭＡＣブロックの受信に応じて、第１のＲＬＣ／ＭＡＣブロックの第１の応答を、エアインターフェースを通じて移動局からＢＴＳ基地局へ自動的に送信すること。第１の応答は、（１）第１のブロックが移動局によってうまく復号化された場合には肯定応答（ＡＣＫ）、または、（２）第１のブロックが移動局によってうまく復号化されなかった場合には否定応答である。
【００６２】
一実施形態において、機械読み取り可能媒体は、命令を記憶する。命令がＧＥＲＡＮセルラー式通信システムの移動局の少なくとも１つのプロセッサによって実行されるとき、命令は、少なくとも１つのプロセッサに、（１）セルラー式通信システムのエアインターフェースを通じて、セルラー式通信システムのＢＴＳ基地局によって送られた第１のＲＬＣ／ＭＡＣブロックを受信することと、（２）移動局による第１のＲＬＣ／ＭＡＣブロックの受信に応じて、第１のＲＬＣ／ＭＡＣブロックの第１の応答を、エアインターフェースを通じて移動局からＢＴＳ基地局へ自動的に送信することとのために、移動局を構成(configure)させる。第１の応答は、（１）第１のブロックが移動局によってうまく復号化された場合には肯定応答（ＡＣＫ）、または、（２）第１のブロックが移動局によってうまく復号化されなかった場合には否定応答である。
【００６３】
一実施形態において、移動通信用グローバルシステム（Global System for Mobile Communications）（ＧＳＭ）ＧＳＭ進化型拡張データレート（Enhanced Data rates for GSM Evolution）（ＥＤＧＥ）無線アクセスネットワーク（Radio Access Network）（ＧＥＲＡＮ）規格に適合する(compliant with)セルラー式通信システムの移動局が提供される。本移動局は、セルラー式通信システムのＧＥＲＡＮエアインターフェースを介して、セルラー式通信システムのＢＴＳ基地局によって送られたＲＬＣ／ＭＡＣブロックを受信するための手段を含む。さらに、本移動局は、移動局によるＲＬＣ／ＭＡＣブロックの受信に応じて、移動局からＢＴＳ基地局へ、ＧＥＲＡＮエアインターフェースを介して、ＲＬＣ／ＭＡＣブロックの応答を自動的に送信するための手段を含む。ブロックが移動局によってうまく復号化された場合には、応答は肯定応答（ＡＣＫ）である。ブロックが移動局によってうまく復号化されなかった場合には、応答は否定応答である。
【００６４】
一実施形態において、ＧＥＲＡＮセルラー式通信システムのＢＴＳ基地局は、受信器と、送信器と、プログラムコードを記憶するメモリと、プロセッサとを含み、プロセッサは、受信器、送信器、およびメモリに結合される。プログラムコードの制御下のプロセッサは、ＢＴＳ基地局に、次のステップを実行させるように構成される。
【００６５】
（１）セルラー式通信システムのエアインターフェースを通じて、セルラー式通信システムのＢＴＳ移動局によって送られた第１のＲＬＣ／ＭＡＣブロックを受信することと。
【００６６】
（２）ＢＴＳ基地局による第１のＲＬＣ／ＭＡＣブロックの受信に応じて、ＢＴＳ基地局から移動局へ、エアインターフェースを通じて、第１のＲＬＣ／ＭＡＣブロックの第１の応答を自動的に送信すること。第１の応答は、（１）第１のブロックがＢＴＳ基地局によってうまく復号化された場合には肯定応答（ＡＣＫ）であり、または、（２）第１のブロックがＢＴＳ基地局によってうまく復号化されなかった場合には否定応答である。
【００６７】
一実施形態において、機械読み取り可能媒体は、命令を記憶する。命令がＧＥＲＡＮセルラー式通信システムのＢＴＳ基地局の少なくとも１つのプロセッサによって実行されるとき、命令は、少なくとも１つのプロセッサに、（１）セルラー式通信システムのエアインターフェースを通じて、セルラー式通信システムの移動局によって送られた第１のＲＬＣ／ＭＡＣブロックを受信し、（２）ＢＴＳ基地局による第１のＲＬＣ／ＭＡＣブロックの受信に応じて、ＢＴＳ基地局から移動局へ、エアインターフェースを通じて、第１のＲＬＣ／ＭＡＣブロックの第１の応答を自動的に送信するように、ＢＴＳ基地局を構成(configure)させる。第１の応答は、（１）第１のブロックがＢＴＳ基地局によってうまく復号化された場合には肯定応答（ＡＣＫ）、または、（２）第１のブロックがＢＴＳ基地局によってうまく復号化されなかった場合には否定応答である。
【００６８】
本発明のこれらおよび他の実施形態および態様は、以下の説明、図面、および添付の請求項を参照してよりよく理解されるだろう。
【図面の簡単な説明】
【００６９】
【図１】図１は本発明の態様に従って構成された、セルラー式無線ネットワークのうちの選択された構成要素を示す高レベルのブロック図である。
【図２】図２は図１のネットワークにおいて使用される送信時間間隔を示す。
【図３】図３は、本発明の態様に従って、制御情報を備えたダウンリンクヘッダのうちの選択されたフィールドを示す。
【図４】図４は、本発明の態様に従って、制御情報を備えたアップリンクヘッダのうちの選択されたフィールドを示す。
【図５】図５は、本発明の態様に従って、エアインターフェース用の高速フィードバック方式を示す。
【発明の詳細な説明】
【００７０】
本文書において、「実施形態（embodiment）」、「変形（variant）」という語句、および類似の表現は、特定の装置、処理、または製品を言及するために使用されており、必ずしも同一の装置、処理、または製品とは限らない。よって、ある箇所または文脈において使用された「一実施形態（one embodiment）」（または類似の表現）は特定の装置、処理、または製品を言及しうるが、異なる箇所における同一または類似の表現は、異なる装置、処理、または製品を言及しうる。「代替の実施形態（alternative embodiment）」、「代替の変形（alternative variant）」という表現、および類似の言い回しは、数多くの互いに異なる実現可能な実施形態または変形のうちの１つを示すために使用されている。実現可能な実施形態または変形の数は、２つまたは任意の量に必ずしも限定されない。
【００７１】
「例示の（exemplary）」という語句は、ここにおいて、「１つの例、場合、または例証としての役割を果たす（serving as an example, instance, or illustration）」という意味で使用されている。ここにおいて記載されたどの実施形態も、他の実施形態よりも好適または有利であると必ずしも解釈されるべきではない。本説明に記載のすべての実施形態は、当業者が本発明を作成または使用できるようにするために提供された例示の実施形態であり、本発明に与えられた法的保護範囲を制限するために提供されたものではない。当該法的保護範囲は、請求項およびその均等物によって規定される。
【００７２】
ＢＴＳ基地局（ＢＴＳｓ）および基地局コントローラ（ＢＳＣｓ）は、「無線ネットワーク」、「ＲＮ」、「アクセスネットワーク」、または「ＡＮ」と称されるネットワークの一部である。基地局コントローラは、無線ネットワークコントローラ、または「ＲＮＣ」と称される場合もある。無線ネットワークは、ＧＥＲＡＮベースのネットワークであってもよい。無線ネットワークは、データパケットを、ユーザ設備装置としても知られる複数の移動局（ＭＳｓ）間で搬送してもよい。無線ネットワークは、企業イントラネット、インターネット、他の無線ネットワーク、または従来の公衆交換電話網（ＰＳＴＮ）などの無線ネットワーク外の別のネットワークにさらに接続されてもよく、各移動局とそのような外部ネットワークとの間でデータおよび音声を搬送してもよい。
【００７３】
本発明の態様に従う実施形態は、重畳符号化（superposition coding）、マルチユーザパケット送信(multi-user packet transmission)、結合検出(joint detection)、および復号化通信技法(decoding communication techniques)を使用してもよい。以下の段落は、これらの技法を説明する。
【００７４】
重畳符号化は、複数の受信機と通信するための同一の送信リソースの使用を指す。この場合に、同一の送信リソースの使用は、同一の周波数およびタイムスロットを使用した、送信器から複数の受信器へのデータの同時送信を指す。例示のために、（１）第１の物理的通信リンクＬ１上での第１の受信器Ｒｘ１および（２）第２の物理的通信リンクＬ２上での受信器Ｒｘ２と通信する無線送信器Ｔｘを考える。無線状態(radio conditions)が第１の受信器／リンクでは弱く、第２の受信器／リンクでは強いと仮定する(この状況は一時的であってもよい。なぜなら、無線状態は、特に移動局については常に変化するからである)。言い換えれば、固定された送信無線電力の場合、第１の受信器の信号対干渉および雑音比（ＳＩＮＲ）ならびに搬送波対干渉（Ｃ／Ｉ）比は、第２の送信器の対応するＳＩＮＲおよびＣ／Ｉ比よりも低い(または遥かに低い)。２つの受信器の相対的な無線状態を把握している送信器Ｔｘは、第１の受信器Ｒｘ１（無線状態が弱い方）用のデータの第１のブロックが第２の受信器Ｒｘ２（無線状態が強いほう）用のデータの第２のブロックよりも高い電力で送信されるように、その限られた電力を、２つの受信器間の特定のスロットおよび特定の搬送周波数用に割り当てることができる。例えば、送信器Ｔｘは、現在の無線状況と第２の受信器Ｒｘ２への第２のブロックの送信によるさらなる干渉という状況に鑑みて、第１の受信器Ｒｘ１用のブロックに対して充分な電力を割り当てて、第１の受信器Ｒｘ１がこのブロックを復号化できるようにしてもよい。その後、送信器Ｔｘは、第２の受信器Ｒｘ２用のブロックに対して、少ない電力ではあるが、それでも、例えば第１のブロックの送信によって生じた干渉を除去または軽減するために干渉キャンセルを使用して第２のブロックを復号化するために第２の受信器Ｒｘ２にとっては充分な電力を割り当ててもよい。
【００７５】
その後、送信器は、２つのブロックを同一の搬送周波数上で同時に送信する。よって、２つのブロックは「衝突する（collide）」ということができる。
【００７６】
データの第１のブロックは第２のブロックよりも高い電力が割り当てられて送信されるので、第１の受信器Ｒｘ１には、第２のブロックがただ単に雑音または干渉が増加したように見える。２つのブロックの送信間の電力オフセットが充分に高ければ、第１の受信器Ｒｘ１におけるＳＩＮＲの悪化は小さく、取るに足らないことさえある(これは必ずしもいつもそうであるという必要はない)。よって、第１の受信器Ｒｘ１は、第１のブロックの送信レート、現在の無線状態、および第２のブロックの送信によって生じたさらなる干渉に対して充分な電力で送信されるならば、第１のブロックを復号化することができるはずである。
【００７７】
また、第２の受信器Ｒｘ２は、第１のブロックを復号化できるはずである。なぜならば、第２の受信器Ｒｘ２は無線状態が強いので、第１の受信器Ｒｘ１よりも良好なＳＩＮＲで第１のブロックを受信するからである。第２の受信器Ｒｘ２が第１のブロックを復号化すると、干渉とみなして、知られている干渉キャンセル技法(interference cancellation techniques)を使用して、２つのブロックが受信された期間に受信された全信号から第１のブロックをキャンセルすることができる。残りの信号は、他のソースから発生した雑音および干渉が混ざった第２のブロックを表す。第２の受信器Ｒｘ２は、第２のブロックの送信レートおよび第２の受信器Ｒｘ２の無線状態に対して充分な電力で第２のブロックが送信されるならば、たとえ第１のブロックよりも電力が低くても、第２のブロックを復号化することができるはずである。
【００７８】
この方法は、３つ以上の受信器にまで拡張されてもよいことに注意されたい。例えば、最も弱い無線状態の受信器に対してほとんどの電力が送信用に割り当てられてもよく、最も強い無線状態の受信器に対して最も少ない電力が割り当てられてもよく、中間の無線状態の受信器に対して中間の電力が割り当てられてもよい。その後、最も強い無線状態の受信器は、最も弱い無線状態の受信器用のブロックを復号化して、復号化されたブロックを受信信号からキャンセルして、中間の無線状態の受信機用のブロックを復号化して、第２の復号化されたブロックをキャンセルして、最後に自身用のブロックを復号化してもよい（そのような復号化／キャンセル処理は、逐次干渉キャンセル（successive interference cancellation）と称されることがある）。また、中間の無線状態の受信器が、最も弱い無線状態の受信機用のブロックを復号化して、それを受信信号からキャンセルして、その後自身用のブロックを復号化してもよい。最も弱い無線状態の受信器は、当該ブロックは最も高い電力レベルで送信されているので、自身用のブロックを直接復号化することができてもよい。本文書を検討した後、当業者は、逐次干渉キャンセル技法を、過度の実験またはさらなる発明を要しないで、４つ以上の受信器に対して拡張することができるはずである。
【００７９】
複数の送信機が単一の受信器に対して同一の周波数上で送信する場合に、類似の処理が単一の受信器において行われてもよい。言い換えると、逐次干渉キャンセルなどの技法を使用したマルチユーザ結合検出を、複数の送信機から生じ、受信器において衝突する（すなわち、同時に受信される）複数のパケットを復号化するために使用してもよい。受信器はＢＴＳ基地局であってもよいし、複数の送信器は移動局であってもよい。
【００８０】
干渉キャンセル以外の技法が重畳符号化に使用されてもよいことに注意されたい。
【００８１】
マルチユーザ送信は、２つ以上のユーザを単一のスロット（すなわち、同一の周波数−時間割り当て）に多重化するために使用されてもよい。例えば、送信機は、２つ以上の互いに異なる受信器用の互いに異なるペイロードデータを有するパケットを形成してもよい。２つ以上の各受信器がパケット全体を復号化して、パケットのどの部分が当該受信器用であるかを、パケットのヘッダまたは他の信号方式から判断してもよい。マルチユーザパケット通信は、特に、典型的には無音の期間の割合を多く含む生の音声通信について、スペクトルの利用を統計的多重化を通じて拡張する。例えば、２つのユーザ（例えば、移動局）がスロットを共有しており、音声行動が２つのユーザ毎に時間の５０パーセントである場合に、１つのユーザのみが実際には時間の半分のスロットを占有しており、２５パーセントの時間はどちらのユーザもスロットを占有しておらず、両方のユーザは残りの２５パーセントの時間中のスロットを占有する必要がある。残りの２５パーセントの時間中に、基地局は、マルチユーザ送信または重畳符号化技法を使用してもよい。よって、ＧＥＲＡＮのハード容量は、１つのスロットを共有する２つの移動局のグループに対して２倍であってもよい。３つの移動局が１つのスロットを共有する場合には、容量に対するハード制限は３倍であってもよい。
【００８２】
統計的多重化から実現可能な利得は、典型的には、同一のパケットを複数の受信器へ送るのに必要であろう追加のオーバーヘッドからのいかなる損失をも上回る。
【００８３】
図１は、ＧＥＲＡＮベースの（例えば、ＧＳＭ準拠の）通信ネットワーク１００のうちの選択された構成要素を示し、無線ＢＴＳ基地局１２０に結合された無線ネットワークコントローラ１１０を含む。無線ＢＴＳ基地局１２０は、移動局１３０Ａ，１３０Ｂ，１３０Ｃ，および１３０Ｄと、図示のように対応する無線通信リンク１４０Ａから１４０Ｄを通じて通信する。無線ネットワークコントローラ１１０は、公衆交換電話網１５０に対して電話スイッチ１６０を通じて結合され、パケット交換ネットワーク１７０に対してパケットデータサーバノード（ＰＤＳＮ）１８０を通じて結合される。無線ネットワークコントローラ１１０およびパケットデータサーバノード１８０などの様々なネットワーク要素間のデータ交換は、例えば、インターネットプロトコル、非同期転送モード（ＡＴＭ）プロトコル、Ｔ１，Ｅ１，フレーム中継、および他のプロトコルなどの任意の数のプロトコルを使用して実施可能である。
【００８４】
例示の実施形態において、通信ネットワーク１００は、移動局１３０に対して、データ通信サービス、セルラー式電話サービス、およびＶｏＩＰを通じた電話サービスを提供する。代替の実施形態において、通信ネットワーク１００は、移動局１３０に対して、データサービス（ＶｏＩＰなど）のみ、またはセルラー式電話サービスのみ提供してもよい。
【００８５】
移動局１３０は、無線電話、無線モデム、携帯情報端末（personal digital assistants）、無線ローカルループ装置、ＰＣカード、外部または内部モデム、および他の通信装置を含んでもよい。例えばユーザ設備装置１３０Ａなどの典型的な移動局は、受信器回路１３１と、送信器回路１３２と、符号化器１３３と、復号化器１３４と、プロセッサ１３６と、メモリ装置１３７とを含んでもよい。受信器回路１３１、送信器回路１３２、符号化器１３３、および復号化器１３４は、メモリ装置１３７に記憶されたコードをプロセッサ１３６が実行することによって構成される。各移動局１３０は、ＧＥＲＡＮ（ＧＳＭ）プロトコルを使用してＢＴＳ１２０とデータおよび音声を通信するように構成される。各通信チャンネル１４０は、ＢＴＳ１２０と対応するユーザ設備装置１３０との間の順リンクおよび逆リンクをともに含んでもよい。
【００８６】
ＢＴＳ基地局１２０は、１つ以上の無線受信器（例えば、受信器１２１）と、１つ以上の無線送信器（例えば、送信器１２２）と、１つ以上の無線ネットワークコントローラインターフェース（例えば、インターフェース１２３）と、１つ以上のメモリ装置（例えば、メモリ装置１２４）と、１つ以上のプロセッサ（例えば、プロセッサ１２５）と、符号化器／復号化器回路（例えば、符号化器／復号化器回路１２６）とを含む。ＢＴＳ基地局１２０の受信器１２１および送信器１２２は、プロセッサ１２５がメモリ装置１２４に記憶されたプログラムコードの制御下で動作して、ユーザ設備装置１３０に対してデータおよび音声パケットを送りかつデータおよび音声パケットを受信するためにユーザ設備装置１３０との順および逆リンクを確立するように構成される。データサービス（ＶｏＩＰを含む）の場合には、例えば、ＢＴＳ基地局１２０は、パケット交換ネットワーク１７０からの順リンクデータパケットをパケットデータサーバノード１８０を通じて、および無線ネットワークコントローラ１１０を通じて受信してもよく、また、これらのパケットをユーザ設備装置１３０へ送信してもよい。ＢＴＳ基地局１２０は、ユーザ設備装置１３０から生じる逆リンクデータパケットを受信して、これらのパケットをパケット交換ネットワーク１７０へ無線ネットワークコントローラ１１０およびパケットデータサーバノード１８０を通じて転送してもよい。電話サービスの場合には、ＢＴＳ基地局１２０は、電話ネットワーク１５０からの順リンクデータパケットを電話スイッチ１６０を通じて、かつ無線ネットワークコントローラオ１１０を通じて受信して、これらのパケットをユーザ設備装置１３０へ送信してもよい。ユーザ設備装置１３０から生じた音声搬送パケットは、ＢＴＳ基地局１２０で受信されて、無線ネットワークコントローラ１１０および電話スイッチ１６０を介して電話ネットワーク１５０へ転送されてもよい。
【００８７】
図１に示す実施形態の変形において、移動局１３０およびＢＴＳ１２０は、重畳符号化、マルチユーザパケット、統合復号化(joint decoding)、および／または結合検出を使用して互いに通視するように構成される。一変形において、例えば、移動局１３０Ａおよび１３０Ｂは、重畳符号化、マルチユーザパケット、および統合復号化を選択的に使用してＢＴＳ１２０と通信するように構成され、その一方で、移動局１３０Ｃおよび１３０Ｄは、従来のＧＳＭプロトコルを使用してＢＴＳ１２０と通信する従来の装置である。
【００８８】
一変形において、ＢＴＳ１２０は、メモリ装置１２４に記憶されたプログラムコードを実行する自身のプロセッサ１２５の制御下にあって、同一の送信リソースおよび重畳符号化を使用するダウンリンク通信用に自身および移動局１３０Ａおよび１３０Ｂを構成する（ダウンリンク通信とは、無線ネットワークから移動局への通信のことである）。言い換えると、ＢＴＳ１２０は、データパケットを、移動局１３０Ａおよび１３０Ｂへ同一の搬送周波数で少なくとも一部の時間は同一の期間(タイムスロット)中に送る。
【００８９】
他の変形において、ＢＴＳ１２０は、メモリ装置１２４に記憶されたプログラムコードを実行する自身のプロセッサ１２５の制御下にあって、マルチユーザパケットおよび統計的多重化を使用するダウンリンク通信用に自身および移動局１３０Ａおよび１３０Ｂを構成する。言い換えると、ＢＴＳ１２０は、互いに異なる移動局用のペイロードデータを含む互いに異なる部分を有する同一のデータパケットを、移動局１３０Ａおよび１３０Ｂへ送る。各移動局１３０Ａまたは１３０Ｂは、パケット全体を復号化するが、自身用のペイロードデータのみを使用し、他の移動局１３０用のペイロードデータは無視する。
【００９０】
さらに他の変形において、ＢＴＳ１２０は、メモリ装置１２４に記憶されたプログラムコードを実行する自身のプロセッサ１２５の制御下にあって、マルチユーザパケットまたは重畳符号化を使用するダウンリンク通信用に自身および移動局１３０Ａおよび１３０Ｂを構成する。ＢＴＳ１２０は、２つの移動局が充分に異なる無線状態を有する場合に、重畳符号化を使用するダウンリンク通信用に自身および移動局１３０Ａおよび１３０Ｂを構成する。スペクトル効率利得は、無線状態が複数の受信器において異なる場合に、重畳符号化を通じて最も良好に実現される。よって、ＢＴＳは、２つ（以上）の移動局についてのＣ／Ｉ比が少なくとも所定程度異なる場合に、ダウンリンク上での重畳符号化用に自身および移動局１３０Ａ／Ｂを構成してもよい。例えば、ＢＴＳ１３０は、２つ以上の移動局のＣ／Ｉ比が少なくとも１０ｄＢ、少なくとも６ｄＢ、または少なくとも３ｄＢ異なる場合には、これらの移動局を合わせてもよい（すなわち、グループ化してもよい）。そうでない場合、すなわち、２つ以上のグループ化された移動局についてのＣ／Ｉ比の相違が１０ｄＢ、６ｄＢ、または３ｄＢなどといった所定程度以下の場合には、ＢＴＳ１２０は、マルチユーザパケットを使用するダウンリンク通信用に自身および移動局を構成して、統計的多重化利得を実現してもよい。他の例として、ＢＴＳ１２０は、所定のスロット内に多重化された移動局のうちの少なくとも１つに関するペイロードデータがない場合には、マルチユーザパケットダウンリンク通信を使用し、ペイロードデータが所定のスロット内に多重化されたすべての移動局に対して同時に送信される必要がある場合には、重畳符号化を使用してもよい。
【００９１】
無線ネットワーク（例えば、ＢＴＳ１２０）は、パケットの最大繰り返し数が送信される前に所定のパケットについてすべての移動局から応答が受信される場合には、グループ化されたすべての移動局についての送信を早期に終了してもよい。従って、同一のスロットにアドレス指定されたすべての移動局より少ない数の移動局から応答を受信した際の送信の終了は回避されてもよい。
【００９２】
ＢＴＳ１２０は、マルチユーザパケットを使用するダウンリンク通信用の１つ以上のＭＳ対（またはより高いオーダーのセット）、および／または従来のＧＳＭベースの（非多重化）方法を使用するダウンリンク通信用の１つ以上のＭＳｓを構成してもよい。またｈ、重畳符号化および／またはマルチユーザパケットを使用するダウンリンク通信が可能な移動局は、いつでもこのような方式を使用する必要はないことに注意されたい。例えば、そのような移動局は、他の同様の移動局と合致しない場合、または複数の移動局を単一のスロットに多重化することから流れることが可能なさらなる利得が必要ない場合には、従来のＧＳＭベースの方法を使用するダウンリンク通信用に構成されてもよい。
【００９３】
今度はアップリンク通信（移動局から無線ネットワークへ）に移ると、ＢＴＳ１２０は、アップリンク上で衝突しているデータパケットを移動局１３０Ａおよび１３０Ｂから同一の搬送周波数上で同時に受信してもよい（移動局１３０Ａおよび１３０Ｂについてのアップリンク搬送周波数は同一であってもよいが、これらの移動局についてのダウンリンク搬送周波数とは異なる）。よって、重畳符号化および／またはマルチユーザパケットを使用するダウンリンク通信用に対にされた同一の２つ以上の移動局が、同一のアップリンクスロットを共有してもよい。同時に、ＢＴＳ１２０は、従来の非多重化ＧＳＭベースの方法を使用して、レガシー移動局(legacy mobile stations)（例えば、移動局１３０Ｃおよび１３０Ｄ）とのアップリンク通信を行ってもよい。
【００９４】
よって、システム１００のスペクトル効率は、移動局１３０Ａおよび１３０Ｂを単一のスロットに多重化することによって上昇し、同一のスロットをこれら２つのユニット間の干渉は、上述の重畳符号化、マルチユーザパケット、および結合検出および復号化などの高度な符号化および復号化技法を通じて対処される。ある変形において、耐性およびリンク効率は、ハイブリッド自動再送要求（Hybrid Automatic Repeat-reQuest）（Ｈ−ＡＲＱ）技法、例えばタイプＩＩ  Ｈ−ＡＲＱを使用することを通じて改善される。ある変形において、２つの送信時間間隔（ＴＴＩ）送信のみが使用される（単一の再送信）。他の変形において、３つのＴＴＩ送信がしようされる（２つの再送信）。よって、Ｈ−ＡＲＱ技法は、例えば遅延を増加させ、最大有効ＴＴＩは、２０ミリ秒から４０または６０ミリ秒へ増加する場合がある。
【００９５】
容量が増加したことに加えて、システム１００は、ＧＳＭベースの物理層構成に対する変更を減少させる。Ｈ−ＡＲＱタイプＩＩ動作(operation)、マルチユーザパケット、重畳符号化、および結合検出および復号化を容易にする制御チャンネルに対応するために、何らかの変更がインプリメントされるが、システム１００は、下位互換性があるようなやり方で実施される(deployed)。このようにして、ＢＴＳ１２０は、移動局１３０Ａおよび１３０Ｂと同じ搬送周波数セットを使用して、従来の移動局１３０Ｃおよび１３０Ｄをサポートし、上述の多重化動作が可能である。
【００９６】
リンク適応アルゴリズムに対応するために、各パケット送信にヘッダが含まれてもよい。ヘッダ内の情報は、各ＴＴＩで繰り返されてもよい。図２は、４つのバーストのパケット２０５，２１０，２１５，および２２０を有する例示のＴＴＩ２００を示す。各パケット（２０５，２１０，２１５，および２２０）は、オーバーヘッド部分（ヘッダ２０５ｈ，２１０ｈ，２１５ｈ，および２２０ｈ）およびデータ部分（２０５ｄ，２１０ｄ，２１５ｄ，および２２０ｄ）を含む。図２および他のすべての図面は、一定の縮尺で描かれているわけではないことに注意されたい。よって、図２における各パケットのヘッダおよびデータ部分の相対的な期間は例に過ぎない。
【００９７】
上述のようなデータパケットを交換するためのＢＴＳ１２０および移動局１３０を構成するために、アップリンクおよびダウンリンク制御情報が使用される。ダウンリンクにおいては、パケットヘッダは、アップリンクおよびダウンリンク制御情報の両方を含んでもよい。ダウンリンクパケットのヘッダに含まれて送信されたアップリンク制御情報は、３ビットのアップリンクＨ−ＡＲＱ  ＡＣＫ／ＮＡＣＫ（同一のスロット内で多重化可能な３つの移動局毎に１ＡＣＫ／ＮＡＫビット）と、アップリンク電力制御のアップ／ダウン用に３ビット（移動局毎に１ビット）を含んでもよい。本構成によって提供される電力制御により、２０ミリ秒のＴＴＩに対して毎秒５０ビットのアップ／ダウン電力調整が可能となる。段階的な大きさ(step sizes)は、例えば１ｄＢと２ｄＢとの間で設定されてもよい。アップリンク電力制御が望ましいのは、複数のユーザが共通のアップリンクスロットを共有でき、様々なマルチユーザがユーザ間で互いに異なる電力比を好むからである。電力制御機構によって、ネットワークは、実施されたマルチユーザアルゴリズム、現在の無線状態、および他のパラメータおよび要件に従って、送信されたアップリンク電力を調整することができる。
【００９８】
ダウンリンクパケットヘッダ内のダウンリンク制御情報は、パイロット電力（弱い無線状態における移動局への送信に使用される電力の部分）に対するトラフィックチャンネル電力オフセットを示す３ビットと、選択された変調および符号化方式を示す３つの変調および符号化（ＭＣＳ）ビットと、再送信番号を示す１つまたは２つのＲｅＴｘビットと、新しいデータブロックの送信を示す１ビットのフラグＦとを含んでもよい。新しいデータブロックフラグＦおよびＲｅＴＸフィールドによって、移動局は、制御情報の部分を推論することができる。例えば、変調および符号化は、ある変形においては、ある送信から他の送信で変化しない。移動局が第２の送信に付随する(accompanies)制御情報を復号化すれば、例えば、第１の送信用のＭＣＳを判断することができる場合がある。
【００９９】
直前の段落で説明した例示のダウンリンク制御構成は図３に示されており、ＲｅＴｘフィールドの長さによって、１４または１５ビットのダウンリンク制御情報を有する例示のダウンリンクヘッダ３００の選択されたフィールドを示す。さらに、ヘッダは、巡回冗長検査（cyclic redundancy check）（ＣＲＣ）ビットおよび予約ビットを含んでもよく、例えば８つのＣＲＣビットと２つの予約ビットを含んでビット総計が２４または２５となってもよい。
【０１００】
ダウンリンクヘッダについての符号化オプションは、以下のようであってもよい。
【０１０１】
・拘束長９、１／４畳み込み符号の結果、３２＊４／（１１６＊４）＝０．２８または２８パーセントのオーバーヘッドとなる。この構成は、非常に低いＣ／Ｉ比領域に適する場合があるが、他の領域が必ずしも除外されるわけではない。ある状況においては、−４ｄＢという低いＣ／Ｉ比についてもうまくいく。増加したオーバーヘッドを補償することができるために、スペクトル効率は、３８パーセントよりやや高く改善される必要がある。
【数１】
0005384544.tif 000002
【０１０２】
・拘束長９、１／２畳み込み符号の結果、３２＊２／（１１６＊４）＝０．１４または１４パーセントのオーバーヘッドとなる。符号化ビット毎のＣ／Ｉは、０ｄＢ以上であってもよい。増加したオーバーヘッドを補償することができるために、スペクトル効率は、１６パーセント改善される必要がある。
【数２】
0005384544.tif 000003
【０１０３】
図３に示すオーバーヘッドならびにＣＲＣおよび予約ビットに加えて、ダウンリンクフレーム／パケットのデータペイロード部分は、移動局毎の有用なペイロードを示すＭＡＣ  ＩＤｓおよび長フィールドを含んでもよい。重畳符号化されたパケットの場合には、弱い無線状態の移動局のデータ部分は、すべての他の移動局に関して必要なすべてのヘッダ情報を含んでもよい。この追加のオーバーヘッドは、典型的には、移動局毎に１バイト以下であり、なぜなら、ＭＡＣ  ＩＤは２ビットの場合があり、長フィールドは典型的には６ビットを超える必要がないからである。
【０１０４】
アップリンクオーバーヘッドは、ダウンリンクオーバーヘッドと同様のやり方で多重されてもよい。図４は、例示のアップリンクヘッダ４００のうちの選択されたフィールドを示し、ダウンリンクレート選択のために使用されてもよい搬送波対干渉比の情報を備えた４ビットのＣ／Ｉフィールドと、アップリンク用に選択された変調および符号化方式を伝えるために使用される３ビットのＭＣＳフィールドと、ダウリンク送信用の肯定または否定応答を搬送する１ビットのＡＣＫ／ＮＡＫフィールドと、再送信番号を伝えるための１または２ビットのＲｅＴＸフィールドと、新しいデータブロックの送信を示す１ビットのＦフラグとを含む。
【０１０５】
図４に示すフィールドにおけるビット総数は、１０または１１である。さらに、アップリンクヘッダは、８ビットのＣＲＣと、３つの予約ビットを含んでもよく、ＲｅＴｘフィールドのながさによって、総ビット数は２１または２２となる。アップリンクヘッダ用の符号化オプションは、以下のようであってもよい。
【０１０６】
・拘束長９、１／４畳み込み符号の結果、２８＊４／（１１６＊４）＝０．２４または２４パーセントのオーバーヘッドとなる。したがって、スペクトル効率が約３２パーセント改善すれば、増加したオーバーヘッドを補償することになる。
【数３】
0005384544.tif 000004
【０１０７】
この構成は、非常に低いＣ／Ｉ比領域に適する場合があるが、他の領域が必ずしも除外されるわけではない。シンボルレベルＣ／Ｉが〜−５ｄＢであり、同一のスロットを共有しかつ強度が等しい３つのユーザと、他の３つのユーザと同じ強度の(例えば他のセルからの)１つの干渉ユーザとを想定する例を考える。−５ｄＢのＣ／Ｉと二重受信器アンテナダイバーシティを想定すると、制御チャンネル情報は、選択された符号についての必要なＥｂ／Ｎｔ（ビット毎エネルギー対有効雑音スペクトル密度の比（the ratio of energy-per-bit to the effective noise spectral density））が４ｄＢを下回る場合に復号化することができ、これは、充分に数多くの畳み込み符号の能力の範囲内である。
【０１０８】
・拘束長９、１／２畳み込み符号の結果、２８＊２／（１１６＊４）＝０．１２または１２パーセントのオーバーヘッドとなる。この場合、増加したオーバーヘッドを補償することができるために、スペクトル効率は、
【数４】
0005384544.tif 000005
【０１０９】
すなわち、１４パーセント改善される必要がある。この構成がほとんどの場合に充分であるのは、−２ｄＢのシンボルレベルＣ／Ｉを扱うことが可能だからである。
【０１１０】
オーバーヘッド情報の復号化は、結合検出(joint decoding)、干渉キャンセル、またはこれら両方の技法が必要となる場合がある。すべてのユーザから受信されたオーバーヘッド情報は、おおよそ同期していてもよく、結合検出および干渉キャンセルがヘッダ部分に限定できるようになっている。データ部分とのオーバーラップは、どれも干渉として扱われてもよい。別個の復号器がデータ部分を合同で復号化して(jointly decode)もよい。ある変形によっては、シーケンス間の相互関係を最小にするために、アップリンクチャンネル推定および追跡のためのトレーニングシーケンスが選択されて、共通のスロットを共有するすべてのユーザに対する結合時間追跡アルゴリズムを回避する。
【０１１１】
結合検知は、１つのスロット内の複数の移動局アップリンク送信を容易にするために行われてもよい。ある場合には、逐次干渉キャンセル（ＳＩＣ）受信器がこの機能には適切なことがある。また、結合マルチユーザ受信器が使用されてもよい。そのような受信器により、システムスループットは、移動局間のレートおよび電力分配の変化の影響を受けにくくなるだろう。マルチユーザ受信器の複雑性は、２つ、３つ、または４つのユーザを統合復号化する場合には、管理可能なままなはずである。ユーザがこれ以上多くなっても除外するものではない。
【０１１２】
アップリンクレート制御は、レイヤ３信号方式と共に実行されてもよい。
【０１１３】
ＢＴＳ１２０は、割り当てられたスロットを切り替えるように自身および移動局を構成してもよい。これは、無線状態が変化するにつれて移動局を再グループ化するために望ましい場合がある。移動局は、異なるスロットへの「ソフト」切り換え、すなわち、２つの互いに異なるスロットにおいて、アップリンクおよびダウンリンク共に、送受信ができてもよい。この特徴は、従来のＧＳＭベースのシステムにおける、２つのダウンリンクおよび２つのアップリンクスロット上で送受信ができるという移動局の機能と同様である。Ｈ−ＡＲＱ動作のために、任意の時点において進行中の保留送信は４つまでありうることに注意されたい（２つのＨ−ＡＲＱインスタンスのみがあると仮定）。
【０１１４】
Ｈ−ＡＲＱインスタンスの数を最小で２つに留めるために、移動局が、受信されたダウンリンクパケットを復号化してＡＣＫ／ＮＡＫ情報を含むアップリンクヘッダを形成するのに充分な時間を有するように、アップリンクチャンネルを選択するのが望ましい場合がある。また、アップリンクパケットを復号化して、アップリンク送信用のＡＣＫ／ＮＡＫ情報を含むダウンリンクヘッダを形成するのにＢＴＳが充分な時間を持てるようにすることが望ましい場合もある。ある変形において、例えば、バーストにおいて総計８つのスロット、３つのオフセット、および４つのスロットだと、この目的のためにうまくいく。ある状況においては、２つのスロットのオフセットおよび５つ以上のスロットを使用してもよい。
【０１１５】
次に、ＧＳＭエアインターフェース上でのＶｏＩＰパケット送信について対応する。第１の問題は、ＶｏＩＰフレームが１つのＲＬＣ／ＭＡＣ（Radio Link Control/Medium Access Control）ブロックにはまるかどうかということである。適切なヘッダ圧縮によって、ＭＣＳ７，８，または９で符号化された１つのＲＬＣ／ＭＡＣブロックは、１つのＶｏＩＰフレームを含むことができるといわれてきた。さらに、ＶｏＩＰフレームのサイズは使用する特定の符号器・複合器（codec）に依存するが、（平均的な意見の観点から）２０バイトが典型的に許容されるペイロードであり、ＶｏＩＰネット枠内の音声ストリームの１０ミリ秒を表す。これは、ＲＴＰ圧縮がなくても、典型的なＶｏＩＰデータグラムは６４から６６バイトの範囲に収まるだろうということを意味する。ＲＴＰ圧縮をすると、典型的な圧縮ＶｏＩＰデータグラムは２２から２４バイトの範囲に収まるだろう（これは、ＳＮＤＣＰ／ＬＬＣ／ＲＬＣなどのＧＥＲＡＮ専用ヘッダを含まない）。よって、典型的なＶｏＩＰフレームは、ＧＳＭエアインターフェースの１つのＲＬＣ  ＭＡＣブロックにはまるはずである。
【０１１６】
ＶｏＩＰ呼は、その性質として双方向であり、当然ながらデータ呼でもある。ＡＲＱの高速フィードバックのためのダウンリンク／アップリンクの対称性、リンク品質情報、増分冗長性（Incremental Redundancy）Ｈ−ＡＲＱ、およびおそらく他の情報を使用することを提案する。特に、受信されたかまたは受信されていないダウンリンクブロック用の高速アップリンクフィードバックと、受信されたかまたは受信されていないアップリンクブロック用の高速ダウンリンクフィードバックとを提供するために、ある機構がＧＥＲＡＮシステム（図１のシステム１００など）へ導入される。これは、アップリンクおよびダウンリンクフレームのＲＬＣ／ＭＡＣヘッダを修正することによって行うことができる。
【０１１７】
そのようなフィードバック機構は、必ずしもビットマップの使用が必要というわけではないことに注意されたい。代わりに、（１）アップリンクブロックの送信と、ダウンリンクブロック内の対応するフィードバックとの間の関係と、（２）ダウンリンクブロックの送信と、アップリンクブロック内の対応するフィードバックとの関係を規定するために、暗黙の規則が採用されてもよい。例えば、フレーム「ｎ＋１」内の無線ブロックにおけるアップリンクは、フレーム「ｎ」内のダウンリンクブロックに対してフィードバックを与えてもよく（ブロックが受信されたかどうかについて）、フレーム「ｎ＋１」内の無線ブロックにおけるダウンリンクは、フレーム「ｎ」内のアップリンクブロックに対してフィードバックを与えてもよい（ブロックが受信されたかどうかにかかわらず）。この方式は図５に示されており、上部５１０は、ダウンリンクエアインターフェースフレームを示し、下部５２０はアップリンクエアインターフェースフレームを示す。この図に示すように、アップリンクフレーム「ｎ」のアップリンクブロック５２２に対する応答が、フレーム「ｎ＋１」のダウンリンクブロック５１２において送信される。同様に、ダウンリンクフレーム「ｎ」のダウンリンクブロック５１４に対する応答が、アップリンクフレーム「ｎ＋１」のアップリンクブロック５２４において送信される。ここで、同一シーケンス番号「ｎ」が付されたアップリンクおよびダウンリンクフレームは、例えば、時間的に最大のオーバーラップを有するフレームである。
【０１１８】
フレームオフセットは、図５に示すような１つのフレームである必要は必ずしもないことに注意すべきである。フレームオフセットは、２つ、３つ、４つ、またはさらに大きい数のフレームであってもよい。よって、アップリンクフレーム「ｎ」内のアップリンクブロックに対する応答は、フレーム「ｎ＋ｍ」のダウンリンクブロック内で送信されてもよく、ダウンリンクフレーム「ｎ」内のダウンリンクブロックに対する応答は、アップリンクフレーム「ｎ＋ｐ」のアップリンクブロック内で送信されてもよい。「ｍ」および「ｐ」は共に、１以上の整数であってもよく、互いに等しくても等しくなくてもよく、所定であっても変数であってもよい。例えば、「ｍ」は２に等しく、「ｐ」は３に等しくてもよい。
【０１１９】
複数（２つ以上）のダウンリンクブロックに対する応答が、それぞれの、または選択されたアップリンクフレーム内で送信されてもよい。同様に、複数のアップリンクブロックに対する応答が、各ダウンリンクフレームまたは選択されたダウンリンクフレーム内で送信されてもよい。例えば、アップリンクフレーム「ｎ＋２」は、ダウンリンクフレーム「ｎ」および「ｎ＋１」に対する応答を搬送してもよいし、ダウンリンクフレーム「ｎ＋２」は、アップリンクフレーム「ｎ」および「ｎ＋１」に対する応答を搬送してもよい。繰り返すが、応答方式は、アップリンクおよびダウンリンクエアインターフェースフレームについて同一とは限らない。例えば、アップリンクフレーム「ｎ＋２」は、ダウンリンクフレーム「ｎ」および「ｎ＋１」に対する応答を搬送してもよいし、ダウンリンクフレーム「ｎ＋２」は、アップリンクフレーム「ｎ−１」および「ｎ」に対する応答を搬送してもよい。他の例として、アップリンクフレームは、ダウンリンクフレームとは異なる数(より多いか少ないかのいずれか)のブロック数に対する応答を搬送してもよい。複数のフレームに対する応答は繰り返されてもよいことに注意すべきである。例えば、各アップリンクフレームは、２つの先行するダウンリンクフレーム内のブロックに対する応答を搬送してもよく、各ダウンリンクフレームは、２つの先行するアップリンクフレーム内のブロックに対する応答を搬送してもよい。
【０１２０】
応答および他のフィードバックは自動的に与えられ、すなわち、ブロックの受領に応じて与えられ、ポーリングに応じて与えられるものではないことが理解されるべきである。応答および他のフィードバックは、応答された（複数の）ブロックのソースに対して応答された（複数の）ブロックの受信器から送られたブロックのＲＬＣ／ＭＡＣヘッダに含まれてもよい。
【０１２１】
上述の高速自動フィードバック技法の導入の一態様は、高速フィードバック技法が短いＴＴＩと、ＲＬＣ／ＭＡＣ非持続的モードと共に使用される場合には、高速増分冗長性Ｈ−ＡＲＱを提供するために使用されてもよいということである（高速増分冗長性Ｈ−ＡＲＱは、変動する無線状態に対して誤り訂正符号化冗長性を適応したものを指す）。そして、ＧＥＲＡＮエアインターフェース上のＶｏＩＰ呼は、過度の遅延制限ヒット（excessive delay budget hit）を生じさせることなく、増分冗長性利得を享受することができる。
【０１２２】
上述の高速フィードバック技法は、応答および高速増分冗長性Ｈ−ＡＲＱ情報以上にさらに拡張されてもよい。例えば、インターフェースリンクの品質(例えば、ダウンリンクのＣ／Ｉ比)が、より頻繁な間隔で更新されてもよい。ある変形においては、移動局は、ＢＴＳに対して、各フレームとのダウンリンク接続の品質の推定を送信する。ある変形においては、移動局は、ＢＴＳに対して、移動局がダウンリンクブロックの応答を送信するときはいつでも、ダウンリンク接続の品質の推定を送信する。ある変形においては、移動局は、ＢＴＳに対して、２フレーム毎、３フレーム毎、４フレーム毎、または５フレーム毎に１回、ダウンリンク接続の品質の推定を送信する。
【０１２３】
上述の高速フィードバック技法を非連続送信(discontinuous transmission)のシステムに適用する際には、ある問題が生じる。なぜなら、アップリンクおよびダウンリンクの両方での連続通信が前提となっているからである（非連続送信または「ＤＴＸ」は、送信すべき音声入力がない場合には、無線通信装置からは通信を行わない）。ＤＴＸシステムにおいて音声トラフィックがない場合には、高速フィードバック情報を乗せて運ぶことができるものがないだろう。ある変形においては、この問題は、いわゆる「ダミーパケット」、すなわち、ユーザ音声トラフィックがない場合にフィードバック専用パケットを使用することによって回避される。ダミーパケットは、そのようなパケットによって生じる干渉およびそのようなパケットによって消費されるエネルギーを最小限にするために、非常に低いレートおよび低い送信エネルギーを使用して送られてもよい。ダミーパケットは、Ｈ−ＡＲＱ応答、リンク品質情報、増分冗長Ｈ−ＡＲＱ情報、または他のフィードバック情報を搬送してもよい。
【０１２４】
様々な方法のステップが本開示においを連続的に(serially)説明されてきたが、これらのステップのうちのあるものは、同時にあるいは平行して、同期あるいは非同期で、パイプラインの方式で、あるいはその他のやり方で、別の要素(separate elements)によって行われてもよい。ステップが、本記述がそれをリストにするのと同じ順で、実行されるべきであるという特別の要件は、明示的にそのように示される、そうでなければコンテキストから明白にされる、あるいは本質的に必要とされる場合を除いて、無い。さらに、本発明に従うすべての実施形態において、すべてのステップが必ずしも必要であるわけではなく、その一方で、特に図示しなかったあるステップが、本発明に従うある実施形態においては望ましい場合もある。
【０１２５】
当業者は、情報および信号が、種々の異なる技術と技法のいずれかを用いて表されることができることを理解するであろう。例えば、上記の説明を通じて参照されるデータ、指令、命令、情報、信号、ビット、記号、およびチップは、電圧、電流、電磁波、磁場もしくは磁性粒子、光場もしくは光学粒子、あるいはこれらの組み合わせにより表されることができる。
【０１２６】
当業者はさらに、ここに開示されている実施形態に関連して説明されている種々の説明のための論理ブロック、モジュール、回路、およびアルゴリズムステップは、エレクトロニックハードウエア、コンピュータソフトウエア、あるいはその両方の組み合わせとしてインプリメントされることができることを認識するであろう。このハードウェアとソフトウエアの互換性を明白に説明するために、種々の説明のためのコンポーネント、ブロック、モジュール、回路、およびステップが、一般的にそれらの機能性という面から上記に説明されてきた。この様な機能性が、ハードウェア、ソフトウエア、またはハードウェアとソフトウエアの組み合わせでインプリメントされるかどうかは、全体のシステムに課せられている特定のアプリケーション、および設計上の制約に依存する。熟練者は、それぞれの特定のアプリケーションに対して、種々の方法で説明されている機能性をインプリメントするかもしれないが、しかしそのようなインプリメンテーションの決定は、本発明の範囲からの逸脱を生じさせるものとして解釈されるべきではない。
【０１２７】
ここに開示された実施形態に関連して説明された様々な説明のための論理ブロック、モジュール、および回路は、汎用プロセッサ、デジタル信号プロセッサ（digital signal processor）（ＤＳＰ）、特定用途向け集積回路（application specific integrated circuit）（ＡＳＩＣ）、フィールドプログラマブルゲートアレイ（field programmable gate array）（ＦＰＧＡ）あるいは他のプログラマブルム論理装置、ディスクリートなゲートまたはトランジスタロジック、ディスクリートなハードウェアコンポーネント、またはここに説明された機能を実行するように設計されたそれらの任意の組み合わせで、インプリメントされ、あるいは実行されることができる。汎用プロセッサは、マイクロプロセッサであってもよいが、代わりに、プロセッサは、任意の従来のプロセッサ、コントローラ、マイクロコントローラ、あるいは状態機械であってもよい。プロセッサはまた、コンピューティング装置の組み合わせとしてインプリメントされてもよく、例えば、ＤＳＰおよびマイクロプロセッサの組み合わせ、複数のマイクロプロセッサ、ＤＳＰコアと組み合わせた１つまたは複数のマイクロプロセッサ、または任意の他のそのような構成(configuration)としてインプリメントされてもよい。
【０１２８】
ここに開示された実施形態に関連して説明された方法およびアルゴリズムのステップは、ハードウェアで直接に、プロセッサによって実行されるソフトウェアモジュールにおいて、またはこれら２つの組合せにおいて具体化されることができる。ソフトウェアモジュールは、ランダムアクセスメモリ（ＲＡＭ）、フラッシュメモリ、読み出し専用メモリ（ＲＯＭ）、消去可能プログラマブルリードオンリーメモリ（ＥＥＰＲＯＭ）、電気的消去可能プログラムマブルリードオンリーメモリ（ＥＥＰＲＯＭ）、レジスタ、ハードディスク、着脱可能なディスク、ＣＤ−ＲＯＭ、または本技術分野において知られている任意の他の形態の記憶媒体に常駐してもよい。例示の記憶媒体は、プロセッサが記憶媒体から情報を読み出すことができ、かつそこへ情報書き込むことができるように、プロセッサと結合される。代わりに、記憶媒体は、プロセッサと一体化されたもよい。プロセッサおよび記憶媒体は、ＡＳＩＣに常駐していてもよい。ＡＳＩＣは、ユーザ設備装置（移動局）に常駐していてもよい。代わりに、プロセッサおよび記憶媒体は、ディスクリートナ構成要素としてユーザ設備装置内に常駐していてもよい。また、プロセッサおよび記憶媒体は、ＢＴＳまたは無線ネットワークコントローラに常駐していてもよい。
【０１２９】
開示された実施形態の以上の説明は、当業者の誰もが本発明を作りまたは使用するのを可能とするように提供されている。これらの実施形態の様々の変形は当業者には容易に明らかであり、そして、ここに定義された包括的な原理は本発明の精神或いは範囲を逸脱することなく他の実施形態に適用されることが出来る。従って、本発明は、ここで示された実施形態に限定されるように意図されてはおらず、ここに開示された原理及び新規な特徴と整合する最も広い範囲が与えられるべきものである。
以下に、本願発明の当初の特許請求の範囲に記載された発明を記載する。
［１］
セルラー式通信システムの時分割多元接続エアインターフェース上で情報を送信する方法であって、
前記セルラー式通信システムのＢＴＳ基地局によってサービスを提供されるセクタ内の、第１の移動局および第２の移動局を備える、第１の複数の移動局をグループ化することと；
前記ＢＴＳ基地局から、第１の搬送周波数上で、第１のタイムスロットの間に、第１のダウンリンクデータブロックを第１の送信電力を使用して前記第１の移動局へ送信することと；
前記ＢＴＳ基地局から、前記第１の搬送周波数上で、前記第１のタイムスロットの間に、第２のダウンリンクデータブロックを第２の送信電力を使用して前記第２の移動局へ送信することと；
を備え、
前記第１の送信電力と前記第２の送信電力は、前記第１の移動局が前記第１のデータブロックを受信し復号化でき、前記第２の移動局が前記第２のデータブロックを受信し復号化できるほどのものである、
方法。
［２］
前記第１のタイムスロットの間に第１の移動局の第１の無線状態を推定することと；
前記第１のタイムスロットの間に第２の移動局の第２の無線状態を推定することと；
前記第１の送信電力および前記第２の送信電力を前記第１および第２の無線状態の関数として決定することと；
をさらに備える、［１］に記載の方法。
［３］
前記ＢＴＳ基地局から、第２の搬送周波数上で、前記第１のタイムスロットの間に、第３のダウンリンクデータブロックを、前記ＢＴＳ基地局によってサービスを提供される前記セクタ内の第３の移動局へ送信すること、
をさらに備え、
前記第３のダウンリンクデータブロックは多重化されず、前記第２の搬送周波数上で送信することの前記ステップは、移動通信用グローバルシステム（ＧＳＭ）ＧＳＭ進化型拡張データレート（ＥＤＧＥ）無線アクセスネットワーク（ＧＥＲＡＮ）規格に従って実行される、［２］に記載の方法。
［４］
前記グループ化するステップは、前記第２の移動局のダウンリンク搬送波対干渉（Ｃ／Ｉ）比が前記第１のタイムスロットの間に前記第１の移動局のダウンリンクＣ／Ｉ比よりも第１の所定の値だけ超過するように前記第１および第２の移動局を選択することを備える、［３］に記載の方法。
［５］
グループ化することの前記ステップは、前記第２の移動局のダウンリンク搬送波対干渉（Ｃ／Ｉ）比が前記第１のタイムスロットの間に前記第１の移動局のダウンリンクＣ／Ｉ比を少なくとも１０デシベル超過するように、前記第１および第２の移動局を選択することを備える、［３］に記載の方法。
［６］
グループ化することの前記ステップは、前記第２の移動局のダウンリンク搬送波対干渉（Ｃ／Ｉ）比が前記第１のタイムスロットの間に前記第１の移動局のダウンリンクＣ／Ｉ比を少なくとも６デシベル超過するように、前記第１および第２の移動局を選択することを備える、［３］に記載の方法。
［７］
グループ化することの前記ステップは、前記第２の移動局のダウンリンク搬送波対干渉（Ｃ／Ｉ）比が前記第１のタイムスロットの間に前記第１の移動局のダウンリンクＣ／Ｉ比を少なくとも３デシベル超過するように、前記第１および第２の移動局を選択することを備える、［３］に記載の方法。
［８］
前記第１の複数の移動局は、第３の移動局をさらに備え、
前記方法は、
前記第１のタイムスロットの間に前記第３の移動局の第３の無線状態を推定することと；
前記ＢＴＳ基地局から、前記第１の搬送周波数上で、前記第１のタイムスロットの間に、第３のダウンリンクデータブロックを、前記第３の移動局が前記第３のダウンリンクデータブロックを受信し復号化できるような第３の電力を使用して、前記第３の移動局へ送信することと；
をさらに備える、［３］に記載の方法。
［９］
前記第１の送信電力は、前記第２の送信電力よりも大きく、前記第１の送信電力は、前記第３の送信電力よりも大きく、前記第１のダウンリンクデータブロックは、ヘッダを備え、前記ヘッダは、
前記第１の移動局からの第１のアップリンクブロック、前記第２の移動局からの第２のアップリンクブロック、および前記第３の移動局からの第３のアップリンクブロックの、前記ＢＴＳ基地局による受信または非受信を示す肯定応答／否定応答（ＡＣＫ／ＮＡＫ）フィールドと、なお、前記第１、第２、および第３のアップリンクブロックは前記第１のタイムスロットに先立つタイムスロットの間に送信されている；
前記第１の移動局からのアップリンク電力送信のための電力調整を示す第１の電力制御サブフィールド、前記第２の移動局からのアップリンク電力送信のための電力調整を示す第２の電力制御サブフィールド、および前記第３の移動局からのアップリンク電力送信のための電力調整を示す第３の電力制御サブフィールドを備えた電力制御フィールドと；
ダウンリンク送信の変調および符号化を示す変調および符号化方式（ＭＣＳ）フィールドと；
を備える、［８］に記載の方法。
［１０］
前記ヘッダは、
パイロット電力に対するダウンリンクトラフィックチャンネル電力オフセットを示す電力オフセットフィールドと；
新しいデータブロックの送信を示すＦフラグと；
再送番号を示すＲｅＴｘフィールドと；
をさらに備える、［９］に記載の方法。
［１１］
前記ＡＣＫ／ＮＡＫフィールドは３ビットのみからなり、前記電力制御フィールドは３ビットのみからなり、前記電力オフセットフィールドは３ビットのみからなり、前記ＭＣＳフィールドは３ビットのみからなり、前記Ｆフラグは１ビットのみからなり、前記ＲｅＴＸフィールドは１または２ビットのみからなる、［１０］に記載の方法。
［１２］
前記ＡＣＫ／ＮＡＫフィールドは３ビットを備え、前記電力制御フィールドは３ビットを備え、前記電力オフセットフィールドは３ビットを備え、前記ＭＣＳフィールドは３ビットを備え、前記Ｆフラグは１ビットを備え、前記ＲｅＴＸフィールドは１ビットを備える、［１０］に記載の方法。
［１３］
前記第１の送信電力は前記第２の送信電力よりも大きく、前記第１のダウンリンクデータブロックはヘッダを備え、前記ヘッダは、
前記第１の移動局からの第１のアップリンクブロックの前記ＢＴＳ基地局による受信または非受信、および前記第２の移動局からの第２のアップリンクブロックの受信または非受信、を示す肯定応答／否定応答（ＡＣＫ／ＮＡＫ）フィールドと；なお前記第１および第２のアップリンクブロックは前記第１のタイムスロットに先立つタイムスロットの間に送信されている；
前記第１の移動局からのアップリンク電力送信のための電力調整を示す第１の電力制御サブフィールド、および前記第２の移動局からのアップリンク電力送信のための電力調整を示す第２の電力制御サブフィールド、を備えた電力制御フィールドと；
前記送信において使用される変調および符号化を示す変調および符号化方式（ＭＣＳ）フィールドと；
を備える、［３］に記載の方法。
［１４］
前記ＢＴＳ基地局において、第３の搬送周波数上で、第２のタイムスロットの間に、第１のアップリンクブロックを前記第１の移動局から受信することと、前記第３の搬送周波数上で、前記第２のタイムスロットの間に、第２のアップリンクブロックを前記第２の移動局から受信することと、なお、前記第１および第２のアップリンクブロックは、前記ＢＴＳ基地局において衝突する；
前記第１および第２のアップリンクブロックを前記ＢＴＳ基地局において合同で復号化することと；
をさらに備える、［３］に記載の方法。
［１５］
前記エアインターフェースは周波数ホッピングを使用してインプリメントされる、［１］に記載の方法。
［１６］
時分割多元接続セルラー式通信システムのＢＴＳ基地局であって、
前記ＢＴＳ基地局は、
受信器と；
送信器と；
プログラムコードを記憶するメモリと；
前記受信器、前記送信器、および前記メモリに結合されたプロセッサと；
を備え、前記プログラムコードの制御下の前記プロセッサは、
前記ＢＴＳ基地局によってサービスを提供されるセクタ内の、第１の移動局および第２の移動局を備える、第１の複数の移動局をグループ化することと、
前記ＢＴＳ基地局から、第１の搬送周波数上で、第１のタイムスロットの間に、第１のダウンリンクデータブロックを第１の送信電力を使用して前記第１の移動局へ送信することと、
前記ＢＴＳ基地局から、前記第１の搬送周波数上で、前記第１のタイムスロットの間に、第２のダウンリンクデータブロックを第２の送信電力を使用して前記第２の移動局へ送信することと、
を備えるステップを前記ＢＴＳ基地局に実行させるように構成されており、
前記第１の送信電力と前記第２の送信電力は、前記第１の移動局が前記第１のデータブロックを受信し復号化でき、前記第２の移動局が前記第２のデータブロックを受信し復号化できるほどのものである、
ＢＴＳ基地局。
［１７］
前記プログラムコードの制御下の前記プロセッサは、
前記第１のタイムスロットの間に前記第１の移動局の第１の無線状態を推定することと；
前記第１のタイムスロットの間に前記第２の移動局の第２の無線状態を推定することと；
前記第１の送信電力および前記第２の送信電力を前記第１および第２の無線状態の関数として決定することと；
を備えるステップを前記ＢＴＳ基地局に実行させるようにさらに構成されている、
［１６］に記載のＢＴＳ基地局。
［１８］
前記プログラムコードの制御下の前記プロセッサは、
前記ＢＴＳ基地局から、第２の搬送周波数上で、前記第１のタイムスロットの間に、第３のダウンリンクデータブロックを、前記ＢＴＳ基地局によってサービスを提供される前記セクタ内の第３の移動局に送信すること、
を備えるステップを前記ＢＴＳ基地局に実行させるようにさらに構成されており、
前記第３のダウンリンクデータブロックは多重化されず、前記第２の搬送周波数上で送信することの前記ステップは、移動通信用グローバルシステム（ＧＳＭ）ＧＳＭ進化型拡張データレート（ＥＤＧＥ）無線アクセスネットワーク（ＧＥＲＡＮ）規格に従って実行される、［１７］に記載のＢＴＳ基地局。
［１９］
前記第１の送信電力は前記第２の送信電力よりも大きく、前記第１のダウンリンクデータブロックはヘッダを備え、前記ヘッダは、
前記第１の移動局からの第１のアップリンクブロックの前記ＢＴＳ基地局による受信または非受信、および前記第２の移動局からの第２のアップリンクブロックの前記ＢＴＳ基地局による受信または非受信を示す肯定応答／否定応答（ＡＣＫ／ＮＡＫ）フィールドと、なお前記第１および第２のアップリンクブロックは前記第１のタイムスロットに先立つタイムスロットの間に送信されている；
前記第１の移動局からのアップリンク電力送信のための電力調整を示す第１の電力制御サブフィールド、および前記第２の移動局からのアップリンク電力送信のための電力調整を示す第２の電力制御サブフィールド、を備えた電力制御フィールドと；
前記送信において使用される変調および符号化を示す変調および符号化方式（ＭＣＳ）フィールドと；
を備える、［１８］に記載のＢＴＳ基地局。
［２０］
命令を備える機械読み取り可能媒体であって、前記命令は、時分割多元接続セルラー式通信システムのＢＴＳ基地局の少なくとも１つのプロセッサによって実行されるとき、前記少なくとも１つのプロセッサに、
前記ＢＴＳ基地局によってサービスを提供されるセクタ内の、第１の移動局および第２の移動局を備える、第１の複数の移動局をグループ化することと；
前記ＢＴＳ基地局から、第１の搬送周波数上で、第１のタイムスロットの間に、第１のダウンリンクデータブロックを第１の送信電力を使用して前記第１の移動局へ送信することと；
前記ＢＴＳ基地局から、前記第１の搬送周波数上で、前記第１のタイムスロットの間に、第２のダウンリンクデータブロックを第２の送信電力を使用して前記第２の移動局へ送信することと；
を備える動作を行うように前記ＢＴＳ基地局を構成させ、
前記第１の送信電力および前記第２の送信電力は、前記第１の移動局が前記第１のデータブロックを受信し復号化でき、前記第２の移動局が前記第２のデータブロックを受信し復号化できるほどのものである、
機械読み取り可能媒体。
［２１］
セルラー式通信システムの時分割多元接続エアインターフェース上で情報を送信する方法であって、
前記セルラー式通信システムのＢＴＳ基地局によってサービスを提供されるセクタ内の、第１の移動局および第２の移動局を備える、第１の複数の移動局をグループ化することと；
前記ＢＴＳ基地局から、第１の搬送周波数上で、第１のタイムスロットの間に、第１のダウンリンクマルチユーザデータパケットを前記第１および第２の移動局へ送信することと；
を備え、
前記マルチユーザダウンリンクデータパケットは、前記第１の移動局用の第１のペイロードデータと、前記第２の移動局用の第２のペイロードデータと、ヘッダとを備えており、前記ヘッダは、前記第１の移動局が前記第１のペイロードデータを使用できかつ前記第２の移動局が前記第２のペイロードデータを使用できるように、前記第１のペイロードデータおよび前記第２のペイロードデータを前記第１および第２の移動局に示している、
方法。
［２２］
前記ＢＴＳ基地局から、第２の搬送周波数上で、前記第１のタイムスロットの間に、第３のダウンリンクデータパケットを、前記ＢＴＳ基地局によってサービスを提供される前記セクタ内の第３の移動局へ送信すること、
をさらに備え、
前記第３のダウンリンクデータブロックは、多重化されていない単一ユーザパケットであり、前記第２の搬送周波数上で送信することの前記ステップは、移動通信用グローバルシステム（ＧＳＭ）ＧＳＭ進化型拡張データレート（ＥＤＧＥ）無線アクセスネットワーク（ＧＥＲＡＮ）規格に従って実行される、
［２１］に記載の方法。
［２３］
前記ＢＴＳ基地局において、第３の搬送周波数上で、第２のタイムスロットの間に、第１のアップリンクパケットを前記第１の移動局から受信することと、前記第３の搬送周波数上で、前記第２のタイムスロットの間に、第２のアップリンクパケットを前記第２の移動局から受信することと、なお、前記第１および第２のアップリンクブロックは前記ＢＴＳ基地局において衝突する；
前記第１および第２のアップリンクブロックを前記ＢＴＳ基地局において合同で復号化することと；
をさらに備える、請求項［２２］に記載の方法。
［２４］
前記エアインターフェースは、周波数ホッピングを使用してインプリメントされる、［２１］に記載の方法。
［２５］
時分割多元接続セルラー式通信システムのＢＴＳ基地局であって、
受信器と；
送信器と；
プログラムコードを記憶するメモリと；
前記受信器、前記送信器、および前記メモリに結合されたプロセッサと；
を備え、前記プログラムコードの制御下の前記プロセッサは、
前記ＢＴＳ基地局によってサービスを提供されるセクタ内の、第１の移動局および第２の移動局を備える、第１の複数の移動局をグループ化することと；
前記ＢＴＳ基地局から、第１の搬送周波数上で、第１のタイムスロットの間に、マルチユーザデータパケットを前記第１および第２の移動局へ送信することと；
を備えるステップを前記ＢＴＳ基地局に実行させるように構成されており、
前記マルチユーザデータパケットは、前記第１の移動局用の第１のペイロードデータと、前記第２の移動局用の第２のペイロードデータと、ヘッダとを備え、前記ヘッダは、前記第１の移動局が前記第１のペイロードデータを使用できかつ前記第２の移動局が前記第２のペイロードデータを使用できるように、前記第１のペイロードデータおよび前記第２のペイロードデータを前記第１および第２の移動局に示している、
ＢＴＳ基地局。
［２６］
前記プログラムコードの制御下の前記プロセッサは、
前記ＢＴＳ基地局から、第２の搬送周波数上で、前記第１のタイムスロットの間に、第３のデータパケットを、前記ＢＴＳ基地局によってサービスを提供される前記セクタ内の第３の移動局へ送信すること、
を備えるステップを前記ＢＴＳ基地局に実行させるようにさらに構成されており、
前記第３のダウンリンクデータブロックは多重化されていない単独ユーザパケットであり、前記第２の搬送周波数上で送信することの前記ステップは、移動通信用グローバルシステム（ＧＳＭ）ＧＳＭ進化型拡張データレート（ＥＤＧＥ）無線アクセスネットワーク（ＧＥＲＡＮ）規格に従って実行される、
［２５］に記載のＢＴＳ基地局。
［２７］
前記プログラムコードの制御下の前記プロセッサは、
前記ＢＴＳ基地局において、第３の搬送周波数上で、第２のタイムスロットの間に、第１のアップリンクパケットを前記第１の移動局から受信することと、前記第３の搬送周波数上で、前記第２のタイムスロットの間に、第２のアップリンクパケットを前記第２の移動局から受信することと、なお、前記第１および第２のアップリンクブロックは、前記ＢＴＳ基地局において衝突する；、
前記第１および第２のアップリンクブロックを前記ＢＴＳ基地局において合同で復号化することと；
を備えるステップを前記ＢＴＳ基地局に実行させるようにさらに構成される、
［２６］に記載のＢＴＳ基地局。
［２８］
命令を備える機械読み取り可能媒体であって、前記命令は、時分割多元接続セルラー式通信システムのＢＴＳ基地局の少なくとも１つのプロセッサによって実行されるとき、
前記ＢＴＳ基地局によってサービスを提供されるセクタ内の、第１の移動局および第２の移動局を備える、第１の複数の移動局をグループ化することと；
前記ＢＴＳ基地局から、第１の搬送周波数上で、第１のタイムスロットの間に、マルチユーザデータパケットを前記第１および第２の移動局へ送信することと；
を備える動作を行うように前記少なくとも１つのプロセッサに前記ＢＴＳ基地局を構成させ、
前記マルチユーザデータパケットは、前記第１の移動局用の第１のペイロードデータと、前記第２の移動局用の第２のペイロードデータと、ヘッダとを備え、前記ヘッダは、前記第１の移動局が前記第１のペイロードデータを使用できかつ前記第２の移動局が前記第２のペイロードデータを使用できるように、前記第１および第２の移動局に前記第１のペイロードデータおよび前記第２のペイロードデータを示す、
機械読み取り可能媒体。
［２９］
セルラー式通信システムの時分割多元接続エアインターフェース上で情報を受信する方法であって、
前記セルラー式通信システムの第１の移動局において、前記セルラー式通信システムのＢＴＳ基地局から、第１の搬送周波数上で、第１のタイムスロットの間に、送信を受信することと、なお、前記送信は、前記第１の移動局用の第１のデータブロックと、制御情報およびペイロードデータを備える第２のデータブロックとを備えており、前記ペイロードデータは前記セルラー式通信システムの第２の移動局用であり、前記第１のデータブロックは第１の送信電力で送信され、前記第２のデータブロックは第２の送信電力で送信され、前記第２の送信電力は前記第１の送信電力よりも大きく、前記第１および第２のデータブロックは互いに重畳している；
前記第２のデータブロックを復号化するために前記受信された送信を処理することと；
逐次干渉キャンセル済みの（ＳＩＣ）受信された送信を得るために前記受信された送信から前記第２のデータブロックをキャンセルすることと；
前記第１のデータブロックを復号化するために前記ＳＩＣ受信された送信を処理することと；
を備える方法。
［３０］
前記キャンセルするステップは、前記第１の送信電力と前記第２の送信電力との間の電力オフセットを前記制御情報から決定することを備える、請求項［２９］に記載の方法。
［３１］
時分割多元接続セルラー式通信システムの移動局であって、
受信器と；
送信器と；
プログラムコードを記憶するメモリと；
前記受信器、前記送信器、および前記メモリに結合されたプロセッサと；
を備え、前記プログラムコードの制御下の前記プロセッサは、
前記セルラー式通信システムのＢＴＳ基地局から、第１の搬送周波数上で、第１のタイムスロットの間に、送信を受信することと、なお、前記送信は、前記第１の移動局用の第１のデータブロックと、制御情報およびペイロードデータを備える第２のデータブロックとを備えており、前記ペイロードデータは前記セルラー式通信システムの別の移動局用であり、前記第１のデータブロックは第１の送信電力で送信され、前記第２のデータブロックは第２の送信電力で送信され、前記第２の送信電力は前記第１の送信電力よりも大きく、前記第１および第２のデータブロックは互いに重畳している；
前記第２のデータブロックを復号化するために、前記受信された送信を処理することと；
逐次干渉キャンセル済みの（ＳＩＣ）受信された送信を得るために、前記受信された送信から前記第２のデータブロックをキャンセルすることと；
前記第１のデータブロックを復号化するために、前記ＳＩＣ受信された送信を処理することと；
を備えるステップを前記移動局に実行させるように構成されている、
移動局。
［３２］
命令を備える機械読み取り可能媒体であって、前記命令は、時分割多元接続セルラー式通信システムの移動局の少なくとも１つのプロセッサによって実行されるとき、前記少なくとも１つのプロセッサに、
前記セルラー式通信システムのＢＴＳ基地局から、第１の搬送周波数上で、第１のタイムスロットの間に、送信を受信することと、なお、前記送信は、前記第１の移動局用の第１のデータブロックと、制御情報およびペイロードデータを備える第２のデータブロックとを備えており、前記ペイロードデータは前記セルラー式通信システムの別の移動局用であり、前記第１のデータブロックは第１の送信電力で送信され、前記第２のデータブロックは第２の送信電力で送信され、前記第２の送信電力は前記第１の送信電力よりも大きく、前記第１および第２のデータブロックは互いに重畳している；
前記第２のデータブロックを復号化するために、前記受信された送信を処理することと；
逐次干渉キャンセル済みの（ＳＩＣ）受信された送信を得るために、前記受信された送信から前記第２のデータブロックをキャンセルすることと；
前記第１のデータブロックを復号化するために、前記ＳＩＣ受信された送信を処理することと；
を備える動作を行うように前記移動局を構成させる、
機械読み取り可能媒体。
［３３］
時分割多元接続セルラー式通信システムの移動局であって、
前記セルラー式通信システムのＢＴＳ基地局から、第１の搬送周波数上で、第１のタイムスロットの間に、送信を受信するための手段と、なお前記送信は、記移動局用の第１のデータブロックと、制御情報およびペイロードデータを備える第２のデータブロックとを備えており、前記ペイロードデータは前記セルラー式通信システムの別の移動局用であり、前記第１のデータブロックは第１の送信電力で送信され、前記第２のデータブロックは第２の送信電力で送信され、前記第２の送信電力は前記第１の送信電力よりも大きく、前記第１および第２のデータブロックは互いに重畳している；
前記第２のデータブロックを復号化するために、前記受信された送信を処理するための手段と；
逐次干渉キャンセル済みの（ＳＩＣ）受信された送信を得るために、前記受信された送信から前記第２のデータブロックをキャンセルするための手段と；
前記第１のデータブロックを復号化するために、前記ＳＩＣ受信された送信を処理するための手段と；
を備える移動局。
［３４］
セルラー式通信システムの時分割多元接続エアインターフェース上で情報を受信する方法であって、
前記セルラー式通信システムの第１の移動局において、前記セルラー式通信システムのＢＴＳ基地局から、前記第１の移動局用の第１のペイロードデータと、前記セルラー式通信システムの第２の移動局用の第２のペイロードデータと、制御情報とを備えるマルチユーザパケットを受信することと、なお、前記制御情報は前記マルチユーザパケット内の前記第１のペイロードデータおよび第２のペイロードデータを示す；
復号化されたマルチユーザパケットを得るために、前記マルチユーザパケットを前記第１の移動局において復号化することと；
前記復号化されたマルチユーザパケットから前記第１のペイロードデータを得るために、前記制御情報を使用することと；
を備える方法。
［３５］
前記マルチユーザパケットは、移動通信用グローバルシステム（ＧＳＭ）ＧＳＭ進化型拡張データレート（ＥＤＧＥ）無線アクセスネットワーク（ＧＥＲＡＮ）規格に従ってＢＴＳ基地局から送信される、［３４］に記載の方法。
［３６］
時分割多元接続セルラー式通信システムの移動局であって、
受信器と；
送信器と；
プログラムコードを記憶するメモリと；
前記受信器、前記送信器、および前記メモリに結合されたプロセッサと、なお、前記プログラムコードの制御下の前記プロセッサは、
前記セルラー式通信システムのＢＴＳ基地局から、前記移動局用の第１のペイロードデータと、前記セルラー式通信システムの他の移動局用の第２のペイロードデータと、制御情報とを備えるマルチユーザパケットを受信することと、なお、前記制御情報は前記マルチユーザパケット内の前記第１のペイロードデータおよび前記第２のペイロードデータを示す；
復号化されたマルチユーザパケットを得るために、前記マルチユーザパケットを復号化することと；
前記復号化されたマルチユーザパケットから前記第１のペイロードデータを得るために、前記制御情報を使用することと；
を備えるステップを、前記移動局に実行させるように構成されている；
を備える移動局。
［３７］
命令を備える機械読み取り可能媒体であって、前記命令は、時分割多元接続セルラー式通信システムの移動局の少なくとも１つのプロセッサによって実行されるとき、前記少なくとも１つのプロセッサに、
前記セルラー式通信システムのＢＴＳ基地局から、前記移動局用の第１のペイロードデータと、前記セルラー式通信システムの別の移動局用の第２のペイロードデータと、制御情報とを備えるマルチユーザパケットを受信することと、なお、前記制御情報は、前記マルチユーザパケット内の前記第１のペイロードデータおよび前記第２のペイロードデータを示す；
復号化されたマルチユーザパケットを得るために、前記マルチユーザパケットを復号化することと；
前記復号化されたマルチユーザパケットから前記第１のペイロードデータを得るために、前記制御情報を使用することと；
を備える動作を行うように前記移動局を構成させる、
機械読み取り可能媒体。
［３８］
時分割多元接続セルラー式通信システムの移動局であって、
前記セルラー式通信システムのＢＴＳ基地局から、マルチユーザパケットを受信するための手段と、なお、前記マルチユーザパケットは、前記移動局用の第１のペイロードデータと、前記セルラー式通信システムの別の移動局用の第２のペイロードデータと、制御情報とを備えており、前記制御情報は前記マルチユーザパケット内の前記第１のペイロードデータおよび前記第２のペイロードデータを示す；
復号化されたマルチユーザパケットを得るために、前記マルチユーザパケットを復号化するための手段と；
前記復号化されたマルチユーザパケットから前記第１のペイロードデータを得るために、前記制御情報を使用するための手段と；
を備える移動局。
［３９］
移動通信用グローバルシステム（ＧＳＭ）ＧＳＭ進化型拡張データレート（ＥＤＧＥ）無線アクセスネットワーク（ＧＥＲＡＮ）規格に適合するエアインターフェース上で、送信側によって受信側へ送られた無線リンク制御／媒体アクセス制御（ＲＬＣ／ＭＡＣ）ブロック用の応答を提供する方法であって、
前記送信側によって送られた第１のＲＬＣ／ＭＡＣブロックを、前記エアインターフェースを通じて前記受信側によって受信することと；
前記第１のＲＬＣ／ＭＡＣブロックの前記受信側による受信に応じて、前記第１のＲＬＣ／ＭＡＣブロックの第１の応答を、前記エアインターフェースを通じて前記受信側から前記送信側へ自動的に送信することと、なお、前記第１の応答は、前記第１のブロックが前記受信側によってうまく復号化された場合は肯定応答（ＡＣＫ）を備え、前記第１の応答は、前記第１のブロックが前記受信側によってうまく復号化されなかった場合は否定応答を備える；
方法。
［４０］
前記自動的に送信するステップは、前記受信側による前記第１のＲＬＣ／ＭＡＣブロックの受信の所定時間内に実行される、［３９］に記載の方法。
［４１］
前記自動的に送信するステップは、前記受信側による前記第１のＲＬＣ／ＭＡＣブロックの受信に続く所定の時間間隔後に実行される、［３９］に記載の方法。
［４２］
前記自動的に送信するステップは、前記受信側による前記第１のＲＬＣ／ＭＡＣブロックの受信の１送信時間間隔（ＴＴＩ）内に行われる、［３９］に記載の方法。
［４３］
前記自動的に送信するステップは、前記受信側による前記第１のＲＬＣ／ＭＡＣブロックの受信の２送信時間間隔（ＴＴＩ）内に行われる、［３９］に記載の方法。
［４４］
前記自動的に送信するステップは、前記受信側による前記第１のＲＬＣ／ＭＡＣブロックの受信の３送信時間間隔（ＴＴＩ）内に行われる、［３９］に記載の方法。
［４５］
前記自動的に送信するステップは、前記受信側による前記第１のＲＬＣ／ＭＡＣブロックの受信の４送信時間間隔（ＴＴＩ）内に行われる、［３９］に記載の方法。
［４６］
前記第１の応答を自動的に送信するステップは、第２のＲＬＣ／ＭＡＣブロックのヘッダ内に前記第１の応答を含めることと、前記エアインターフェースを通じて前記第２のＲＬＣ／ＭＡＣブロックを前記受信側から前記送信側へ送ることと、を備える、［３９］に記載の方法。
［４７］
前記エアインターフェースを通じて、前記送信側から送られた第３のＲＬＣ／ＭＡＣブロックを前記受信側によって受信することと；
前記受信側による前記第３のＲＬＣ／ＭＡＣブロックの受信に応じて、前記受信側から前記送信側へ、前記エアインターフェースを通じて、前記第３のＲＬＣ／ＭＡＣブロックの第２の応答を自動的に送信することと、なお、前記第３の応答は、（１）前記第３のブロックが前記受信側によってうまく復号された場合は肯定応答（ＡＣＫ）、または（２）前記第３のブロックが前記受信側によってうまく復号されなかった場合は否定応答である；
をさらに備え、
前記第２の応答を自動的に送信するステップは、前記第２の応答を前記第２のＲＬＣ／ＭＡＣブロックの前記ヘッダ内に含めることを備える、
［４６］に記載の方法。
［４８］
前記エアインターフェースを通じて、前記送信側によって送られた１つ以上のさらなるＲＬＣ／ＭＡＣブロックを前記受信側が受信することと；
前記１つ以上のさらなるＲＬＣ／ＭＡＣブロックの受信に応じて、前記１つ以上のさらなるＲＬＣ／ＭＡＣブロック毎の応答を前記第２のＲＬＣ／ＭＡＣブロックの前記ヘッダ内に含めることと；
をさらに備える、［４６］に記載の方法。
［４９］
前記受信側は移動局を備え、前記送信側はＢＴＳ基地局を備える、［４６］に記載の方法。
［５０］
前記送信側は移動局を備え、前記受信側はＢＴＳ基地局を備える、［４６］に記載の方法。
［５１］
前記第１のＲＬＣ／ＭＡＣブロックは、第１のボイスオーバーインターネットプロトコル（ＶｏＩＰ）フレームを備える、［４６］に記載の方法。
［５２］
前記第２のＲＬＣ／ＭＡＣブロックは、第２のボイスオーバーインターネットプロトコル（ＶｏＩＰ）フレームを備える、［５１］に記載の方法。
［５３］
前記エアインターフェースは、非連続送信（ＤＴＸ）をインプリメントし、前記第２のＲＬＣ／ＭＡＣブロックは、ボイスオーバーインターネットプロトコル（ＶｏＩＰ）フレームのない、ダミーのフィードバック専用パケットを備える、［５１］に記載の方法。
［５４］
前記第２のＲＬＣ／ＭＡＣブロックの前記ヘッダに、前記送信側から前記受信側への前記リンクの品質のインジケータを含めること、
をさらに備える、［４６］に記載の方法。
［５５］
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムの移動局であって、
受信器と；
送信器と；
プログラムコードを記憶するメモリと；
前記受信器、前記送信器、および前記メモリに結合されたプロセッサと；
を備え、前記プログラムコードの制御下の前記プロセッサは、
前記セルラー式通信システムの前記エアインターフェースを通じて、前記セルラー式通信システムのＢＴＳ基地局によって送られた第１のＲＬＣ／ＭＡＣブロックを受信することと；
前記移動局による前記第１のＲＬＣ／ＭＡＣブロックの受信に応じて、前記第１のＲＬＣ／ＭＡＣブロックの第１の応答を、前記エアインターフェースを通じて前記移動局から前記ＢＴＳ基地局へ自動的に送信することと、なお、前記第１の応答は、前記第１のブロックが前記移動局によってうまく復号化された場合は肯定応答（ＡＣＫ）を備え、前記第１の応答は、前記第１のブロックが前記移動局によってうまく復号化されなかった場合は否定応答を備える；
を備えるステップを前記移動局に実行させるように構成されている、
移動局。
［５６］
前記プログラムコードの制御下の前記プロセッサは、前記移動局に、前記第１の応答を第２のＲＬＣ／ＭＡＣブロックのヘッダ内に含めることと、前記エアインターフェースを通じて前記第２のＲＬＣ／ＭＡＣブロックを前記移動局から前記ＢＴＳ基地局へ送ることとによって、前記第１の応答を自動的に送信することの前記ステップを実行させるようにさらに構成されている、［５５］に記載の移動局。
［５７］
前記第１のＲＬＣ／ＭＡＣブロックは、ボイスオーバーインターネットプロトコル（ＶｏＩＰ）フレームを備える、［５５］に記載の移動局。
［５８］
命令を備える機械読み取り可能媒体であって、前記命令は、
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムの移動局の少なくとも１つのプロセッサによって実行されるとき、
前記セルラー式通信システムの前記エアインターフェースを通じて、前記セルラー式通信システムのＢＴＳ基地局によって送られた第１のＲＬＣ／ＭＡＣブロックを受信することと；
前記移動局による前記第１のＲＬＣ／ＭＡＣブロックの受信に応じて、前記第１のＲＬＣ／ＭＡＣブロックの第１の応答を、前記エアインターフェースを通じて前記移動局から前記ＢＴＳ基地局へ自動的に送信することと、なお、前記第１の応答は、前記第１のブロックが前記移動局によってうまく復号化された場合は肯定応答（ＡＣＫ）を備え、前記第１の応答は、前記第１のブロックが前記移動局によってうまく復号化されなかった場合は否定応答を備える；
を備える動作を行うように、前記少なくとも１つのプロセッサに前記移動局を構成させる、
機械読み取り可能媒体。
［５９］
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムの移動局であって、
前記セルラー式通信システムのＧＥＲＡＮエアインターフェースを介して、前記セルラー式通信システムのＢＴＳ基地局によって送られたＲＬＣ／ＭＡＣブロックを受信するための手段と；
前記移動局による前記ＲＬＣ／ＭＡＣブロックの受信に応じて、前記移動局から前記ＢＴＳ基地局へ、前記ＧＥＲＡＮエアインターフェースを介して、前記ＲＬＣ／ＭＡＣブロックの応答を自動的に送信するための手段と、なお前記応答は、前記第１のブロックが前記移動局によってうまく復号化された場合は肯定応答（ＡＣＫ）を備え、前記応答は、前記第１のブロックが前記移動局によってうまく復号化されなかった場合は否定応答を備える；
を備える移動局。
［６０］
移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムのＢＴＳ基地局であって、
受信器と；
送信器と；
プログラムコードを記憶するメモリと；
前記受信器、前記送信器、および前記メモリに結合されたプロセッサと；
を備え、前記プログラムコードの制御下の前記プロセッサは、
前記セルラー式通信システムの前記エアインターフェースを通じて、前記セルラー式通信システムの移動局によって送られた第１のＲＬＣ／ＭＡＣブロックを受信することと；
前記ＢＴＳ基地局による前記第１のＲＬＣ／ＭＡＣブロックの受信に応じて、前記ＢＴＳ基地局から前記移動局へ、前記エアインターフェースを通じて、前記第１のＲＬＣ／ＭＡＣブロックの第１の応答を自動的に送信することと、なお、前記第１の応答は、前記第１のブロックが前記ＢＴＳ基地局によってうまく復号化された場合は肯定応答（ＡＣＫ）を備え、前記第１の応答は、前記第１のブロックが前記ＢＴＳ基地局によってうまく復号化されなかった場合は否定応答を備える；
を備えるステップを前記ＢＴＳ基地局に実行させるように構成されている、
ＢＴＳ基地局。
［６１］
命令を備える機械読み取り可能媒体であって、前記命令は、移動通信用グローバルシステム（ＧＳＭ）ＧＳＭ進化型拡張データレート（ＥＤＧＥ）無線アクセスネットワーク（ＧＥＲＡＮ）規格に適合するセルラー式通信システムのＢＴＳ基地局の少なくとも１つのプロセッサによって実行されるとき、
前記セルラー式通信システムの前記エアインターフェースを通じて、前記セルラー式通信システムの移動局によって送られた第１のＲＬＣ／ＭＡＣブロックを受信することと；
前記ＢＴＳ基地局による前記第１のＲＬＣ／ＭＡＣブロックの受信に応じて、前記ＢＴＳ基地局から前記移動局へ、前記エアインターフェースを通じて、前記第１のＲＬＣ／ＭＡＣブロックの第１の応答を自動的に送信することと、なお、前記第１の応答は、前記第１のブロックが前記ＢＴＳ基地局によってうまく復号化された場合は肯定応答（ＡＣＫ）を備え、前記第１の応答は、前記第１のブロックが前記ＢＴＳ基地局によってうまく復号化されなかった場合は否定応答を備える；
を備える動作を行うように前記少なくとも１つのプロセッサに前記ＢＴＳ基地局を構成させる、
機械読み取り可能媒体。
【図１】
0005384544.tif 000006
【図２】
0005384544.tif 000007
【図３】
0005384544.tif 000008
【図４】
0005384544.tif 000009
【図５】
0005384544.tif 000010